(57)【要約】  ビームペアリンク障害に対するロバスト性を増大させるための１つのやり方は、２つ以上のビーム内でダウンリンク（ＤＬ）制御シグナリング（例えば、ＰＤＣＣＨ）を送信することによる。すなわち、ＢＰＬＦを軽減するための１つのやり方は、ＵＥが、第１のＢＰＬ（例えば、アクティブＢＰＬ）および第２のＢＰＬ（例えば、監視対象ＢＰＬ）の両方を介して、第１のＢＰＬと比較して第２のＢＰＬではより大きいデューティサイクルで、ＤＬ制御シグナリングを受信することである。例えば、制御シグナリングは、第１のＢＰＬ上ではスロットごとにスケジューリングされ得、第２のＢＰＬにおいてはＮ個のスロットごとにスケジューリングされ得る。このやり方では、第１のＢＰＬがブロックされ、ＵＥが第１のＢＰＬ上の制御シグナリングを復号できない場合には、ＵＥは、第２のＢＰＬ上で送信された制御シグナリングを受信することができる。【選択図】図６
2019534641.tif 000002
【特許請求の範囲】
【請求項１】
ユーザ機器（ＵＥ）（５０１）と通信するための送信地点（ＴＲＰ）（５５０）によって実施される方法であって、
前記ＵＥと通信するための第１のビームペアリンク（ＢＰＬ）を使用することであって、前記第１のＢＰＬが、第１の送信空間フィルタリング設定、および前記第１の送信空間フィルタリング設定に対応する第１の受信空間フィルタリング設定を含む、使用することと、
前記第１のＢＰＬを使用して制御情報を前記ＵＥに送信することと、
前記ＴＲＰが第２のＢＰＬを使用して制御情報を前記ＵＥに送信し得るスロットを示すスケジューリング情報を前記ＵＥに提供することであって、前記第２のＢＰＬが、第２の送信空間フィルタリング設定を含む、提供することと
を含む、方法。
【請求項２】
前記ＴＲＰが、前記第１のＢＰＬがビームペアリンク障害（ＢＰＬＦ）を受けたことを検出することと、
前記第１のＢＰＬがＢＰＬＦを受けたという検出の結果として、前記ＴＲＰが、前記第２のＢＰＬを使用して前記示されたスロット内で制御情報を前記ＵＥに送信することと、をさらに含む、請求項１に記載の方法。
【請求項３】
前記第２のＢＰＬを使用して前記示されたスロット内で前記ＵＥに送信された前記制御情報が、前記第２のＢＰＬが現在前記ＵＥのためのアクティブＢＰＬであることを前記ＵＥに伝える、請求項２に記載の方法。
【請求項４】
前記ＵＥが、前記第２のＢＰＬを使用して前記ＴＲＰによって送信された制御情報について前記示されたスロットの制御エリアを探索するように設定される、請求項３に記載の方法。
【請求項５】
前記第１のＢＰＬを使用して制御情報を前記ＵＥに送信するステップが、Ｎ個の連続したスロットのうちのＭ個以下において前記第１のＢＰＬを使用して制御情報を前記ＵＥに送信することを含み、Ｎは１よりも大きく、ＭはＮ以下であり、
前記示されたスロットが、前記Ｎ個の連続したスロットのうちの１つである、請求項１から４のいずれか一項に記載の方法。
【請求項６】
前記スケジューリング情報が、前記ＴＲＰが前記第２のＢＰＬを使用して制御情報を前記ＵＥに送信し得るＬ個のスロットを示し、Ｌは１以上であり、ＬはＭ未満であり、
前記Ｌ個のスロットの各々が、前記Ｎ個の連続したスロットのうちの１つである、請求項５に記載の方法。
【請求項７】
Ｍ＝Ｎ−１およびＬ＝１である、請求項６に記載の方法。
【請求項８】
前記Ｎ個の連続したスロットのうちの１つにおいて、前記ＴＲＰが、前記第２のＢＰＬを使用して制御情報を前記ＵＥに送信するが、前記第１のＢＰＬを使用して制御情報を前記ＵＥに送信しない、請求項７に記載の方法。
【請求項９】
Ｍ＝ＮおよびＬ＝１である、請求項６に記載の方法。
【請求項１０】
ユーザ機器（ＵＥ）（５０１）と通信する１つまたは複数の送信地点（ＴＲＰ）（５５０）によって実施される方法であって、
第１の探索空間および第２の探索空間を規定することであって、第１の送信空間フィルタリング設定が、前記第１の探索空間と関連付けられ、第２の送信空間フィルタリング設定が、前記第２の探索空間と関連付けられる、規定することと、
前記ＵＥへの制御チャネル候補の送信のため、前記第１または第２の探索空間を選択することと、
前記選択された探索空間と関連付けられた前記送信空間フィルタリング設定を使用して、前記選択された探索空間に属する制御チャネルリソース内で前記制御チャネル候補を送信することと
を含む、方法。
【請求項１１】
前記第１の送信空間フィルタリング設定が第１のＢＰＬに関連し、前記第２の送信空間フィルタリング設定が第２のＢＰＬに関連する、請求項１０に記載の方法。
【請求項１２】
前記選択が、前記第１のＢＰＬがビームペアリンク障害（ＢＰＬＦ）を受けたという情報に基づく、請求項１１に記載の方法。
【請求項１３】
前記第１の探索空間が、制御エリアの第１の部分であり、
前記第２の探索空間が、前記制御エリアの第２の部分である、請求項１１または１２に記載の方法。
【請求項１４】
前記制御エリアの前記第１の部分および前記制御エリアの前記第２の部分が、少なくとも部分的に時間が重複するか、または
前記制御エリアの前記第１の部分が、前記制御エリアの前記第２の部分と時間が重複しない、請求項１３に記載の方法。
【請求項１５】
前記第１の探索空間が、第１の制御エリアであり、
前記第２の探索空間が、第２の制御エリアである、請求項１１または１２に記載の方法。
【請求項１６】
前記第１の制御エリアおよび前記第２の制御エリアが、少なくとも部分的に時間が重複するか、または
前記第１の制御エリアが、前記第２の制御エリアと時間が重複しない、請求項１５に記載の方法。
【請求項１７】
送信器（１４０５）と、受信器（１４０６）と、メモリ（１４０８）と、１つまたは複数のプロセッサ（１４５５）を備えるデータ処理システム（１４０２）とを備え、請求項１から１６のいずれか一項に記載の方法を実施するように設定される、送信地点（ＴＲＰ）（５５０）。
【請求項１８】
請求項１から１６のいずれか一項に記載の方法を実施するように設定される、送信地点（ＴＲＰ）（５５０）。
【請求項１９】
１つまたは複数の送信地点（ＴＲＰ）（５５０、１５０２）と通信するユーザ機器（ＵＥ）（５０１）によって実施される方法であって、前記ＴＲＰが、第１の送信空間フィルタリング設定、および前記第１の送信空間フィルタリング設定に対応する第１の受信空間フィルタリング設定を含む第１のビームペアリンク（ＢＰＬ）を使用して情報を前記ＵＥに送信するように設定され、
前記ＵＥが、前記第１のＢＰＬを使用して前記ＵＥに送信された制御情報を獲得するために、前記第１の送信空間フィルタリング設定に対応する前記第１の受信空間フィルタリング設定を使用することと、
前記ＵＥが、前記ＴＲＰのうちの１つが、第２の送信空間フィルタリング設定、および前記第２の送信空間フィルタリング設定に対応する第２の受信空間フィルタリング設定（５０８）を含む第２のＢＰＬを使用して制御情報を前記ＵＥに送信し得るスロットを示すスケジューリング情報を獲得することと
を含む、方法。
【請求項２０】
前記第１のＢＰＬがビームペアリンク障害（ＢＰＬＦ）を受けたことをＴＲＰが検出した際には、前記ＴＲＰが、前記第２のＢＰＬを使用して前記スロット内で前記制御情報を前記ＵＥに送信する、請求項１９に記載の方法。
【請求項２１】
前記スケジューリング情報を受信した結果として、前記ＵＥが、前記ＵＥに送信された制御情報のための前記示されたスロットを探索するために、前記第２の送信空間フィルタリング設定に対応する前記第２の受信空間フィルタリング設定を使用し、
前記探索の結果として、前記ＵＥが、前記ＵＥに送信された制御情報を獲得し、前記獲得された制御情報が、前記第２のＢＰＬが現在前記ＵＥのためのアクティブＢＰＬであることを前記ＵＥに伝える、請求項１９または２０に記載の方法。
【請求項２２】
前記示されたスロットが、ＴＲＰが前記第１のＢＰＬを使用して制御情報を前記ＵＥに送信しないスロットである、請求項１９から２１のいずれか一項に記載の方法。
【請求項２３】
１つまたは複数の送信地点（ＴＲＰ）（５５０）と通信するユーザ機器（ＵＥ）（５０１）によって実施される方法であって、前記ＴＲＰが、第１の送信空間フィルタリング設定、および前記第１の送信空間フィルタリング設定に対応する第１の受信空間フィルタリング設定を含む第１のビームペアリンク（ＢＰＬ）を使用して情報を前記ＵＥに送信するように設定され、
前記ＵＥが、前記第１のＢＰＬを使用してＴＲＰによって前記ＵＥに送信された制御情報について第１の探索空間を探索するために、前記第１のＢＰＬに対応する第１のパラメータを使用することと、
前記ＵＥが、前記第２のＢＰＬを使用してＴＲＰによって前記ＵＥに送信された制御情報について第２の探索空間を探索するために、第２のＢＰＬに対応する第２のパラメータを使用することであって、前記第２のＢＰＬが、第２の送信空間フィルタリング設定、および前記第２の送信空間フィルタリング設定に対応する第２の受信空間フィルタリング設定（５０８）を含む、ことと
を含む、方法。
【請求項２４】
１つまたは複数の送信地点（ＴＲＰ）（５５０）と通信するユーザ機器（ＵＥ）（５０１）によって実施される方法であって、
前記ＵＥが、第１の探索空間において送信された制御チャネル候補を受信するための１つまたは複数のＱＣＬパラメータの第１のセットを使用することと、
前記ＵＥが、第２の探索空間において送信された制御チャネル候補を受信するための１つまたは複数のＱＣＬパラメータの第２のセットを使用することと
を含む、方法。
【請求項２５】
前記第１の探索空間が、制御エリアの第１の部分であり、
前記第２の探索空間が、前記制御エリアの第２の部分である、請求項２４に記載の方法。
【請求項２６】
前記制御エリアの前記第１の部分および前記制御エリアの前記第２の部分が、少なくとも部分的に時間が重複するか、または
前記制御エリアの前記第１の部分が、前記制御エリアの前記第２の部分と時間が重複しない、請求項２５に記載の方法。
【請求項２７】
前記第１の探索空間が第１の制御エリアであり、
前記第２の探索空間が、第２の制御エリアである、請求項２４に記載の方法。
【請求項２８】
前記第１の制御エリアおよび前記第２の制御エリアが、少なくとも部分的に時間が重複するか、または
前記第１の制御エリアが、前記第２の制御エリアと時間が重複しない、請求項２７に記載の方法。
【請求項２９】
前記ＵＥが、上位層メッセージを使用して設定情報を受信することをさらに含み、前記設定情報が、第１および第２の探索空間を設定する、請求項２０から２２のいずれか一項に記載の方法。
【請求項３０】
送信器（１３０５）と、受信器（１３０６）と、メモリ（１３０８）と、１つまたは複数のプロセッサ（１３５５）を備えるデータ処理システム（１３０２）とを備え、請求項１９から２９のいずれか一項に記載の方法を実施するように設定される、ユーザ機器（ＵＥ）（５０１）。
【請求項３１】
請求項１９から２９のいずれか一項に記載の方法を実施するように設定される、ユーザ機器（ＵＥ）（５０１）。
【請求項３２】
ユーザ機器（ＵＥ）（５０１）と通信するための第１の送信地点（ＴＲＰ）（５５０）、および前記ＵＥ（５０１）と通信するための第２のＴＲＰ（１５０２）を備えるシステム（１５００）によって実施される方法であって、
前記第１のＴＲＰが、前記ＵＥと通信するための第１のビームペアリンク（ＢＰＬ）を使用することと、
前記第２のＴＲＰが、前記ＵＥと通信するための第２のＢＰＬを使用することと、
前記第１のＴＲＰが、前記第１のＢＰＬを使用して制御情報を前記ＵＥに送信することと、
前記第２のＴＲＰが前記第２のＢＰＬを使用して制御情報を前記ＵＥに送信し得るスロットを示すスケジューリング情報を前記ＵＥに提供することと
を含む、方法。
【請求項３３】
前記第１のＢＰＬがビームペアリンク障害（ＢＰＬＦ）を受けたことを検出することと、
前記第１のＢＰＬがＢＰＬＦを受けたという検出の結果として、前記第２のＴＲＰが、前記第２のＢＰＬを使用して前記示されたスロット内で制御情報を前記ＵＥに送信することと、をさらに含む、請求項３２に記載の方法。
【請求項３４】
前記第２のＢＰＬを使用して前記示されたスロット内で前記ＵＥに送信された前記制御情報が、前記第２のＢＰＬが現在前記ＵＥのためのアクティブＢＰＬであることを前記ＵＥに伝える、請求項３３に記載の方法。
【請求項３５】
前記ＵＥが、前記第２のＢＰＬを使用して前記第２のＴＲＰによって送信された制御情報について前記示されたスロットの制御エリアを探索するように設定される、請求項３４に記載の方法。
【請求項３６】
前記第１のＢＰＬを使用して制御情報を前記ＵＥに送信するステップが、Ｎ個の連続したスロットのうちのＭ個以下において前記第１のＢＰＬを使用して制御情報を前記ＵＥに送信することを含み、Ｎは１よりも大きく、ＭはＮ以下であり、
前記示されたスロットが、前記Ｎ個の連続したスロットのうちの１つである、請求項３２から３５のいずれか一項に記載の方法。
【請求項３７】
前記スケジューリング情報が、前記第２のＴＲＰが前記第２のＢＰＬを使用して制御情報を前記ＵＥに送信し得るＬ個のスロットを示し、Ｌは１以上であり、ＬはＭ未満であり、
前記Ｌ個のスロットの各々が、前記Ｎ個の連続したスロットのうちの１つである、請求項３６に記載の方法。
【請求項３８】
Ｍ＝Ｎ−１およびＬ＝１である、請求項３７に記載の方法。
【請求項３９】
前記Ｎ個の連続したスロットのうちの１つにおいて、前記第２のＴＲＰが、前記第２のＢＰＬを使用して制御情報を前記ＵＥに送信するが、前記第１のＴＲＰが、前記第１のＢＰＬを使用して制御情報を前記ＵＥに送信しない、請求項３８に記載の方法。
【請求項４０】
Ｍ＝ＮおよびＬ＝１である、請求項３７に記載の方法。
【請求項４１】
１つまたは複数の送信地点（ＴＲＰ）（５５０、１５０２）によって実施される方法であって、
ＴＲＰ（５５０、１５０２）が、第１の探索空間においてＰＤＣＣＨ制御メッセージを送信するために第１の送信空間フィルタリング設定を使用することと、
ＴＲＰ（５５０、１５０２）が、第２の探索空間においてＰＤＣＣＨ制御メッセージを送信するために第２の送信空間フィルタリング設定を使用することと
を含む、方法。
【請求項４２】
１つまたは複数の送信地点（ＴＲＰ）（５５０、１５０２）によって実施される方法であって、
ＴＲＰ（５５０、１５０２）が、スロットの１つまたは複数のシンボルの第１のセットにおいてＰＤＣＣＨ制御メッセージを送信するために第１の送信空間フィルタリング設定を使用することと、
ＴＲＰ（５５０、１５０２）が、前記スロットの１つまたは複数のシンボルの第２のセットにおいてＰＤＣＣＨ制御メッセージを送信するために第２の送信空間フィルタリング設定を使用することと
を含む、方法。
【請求項４３】
ユーザ機器（ＵＥ）（５０１）によって実施される方法であって、
前記ＵＥが、第１の探索空間においてＰＤＣＣＨ制御メッセージを探索するために第１の受信空間フィルタリング設定を使用することと、
前記ＵＥが、第２の探索空間においてＰＤＣＣＨ制御メッセージを探索するために第２の受信空間フィルタリング設定を使用することと
を含む、方法。
【請求項４４】
前記第１の探索空間が制御エリアの第１の部分であり、前記第２の探索空間が前記制御エリアの第２の部分であるか、または
前記第１の探索空間が第１の制御エリアであり、前記第２の探索空間が第２の制御エリアである、請求項２３、４１、または４３のいずれか一項に記載の方法。
【請求項４５】
前記制御エリアの前記第１の部分および前記制御エリアの前記第２の部分が、少なくとも部分的に時間が重複するか、または
前記第１の制御エリアおよび前記第２の制御エリアが、少なくとも部分的に時間が重複する、請求項４４に記載の方法。
【請求項４６】
ユーザ機器（ＵＥ）（５０１）によって実施される方法であって、
前記ＵＥが、１つまたは複数のシンボルの第１のセットにおいてＰＤＣＣＨ制御メッセージを探索するために第１の受信空間フィルタリング設定を使用することと、
前記ＵＥが、１つまたは複数のシンボルの第２のセットにおいてＰＤＣＣＨ制御メッセージを探索するために第２の受信空間フィルタリング設定を使用することと
を含む、方法。
【請求項４７】
Ｍ個のビームペアリンク上で同時にＰＤＣＣＨを監視するようにユーザ機器（ＵＥ）（５０１）を設定することであって、Ｍは１よりも大きい、ことと、
異なるＰＤＣＣＨ  ＯＦＤＭシンボル内の異なるビームペアリンク上でＰＤＣＣＨを監視するように前記ＵＥ（５０１）を設定することと
のうちの少なくとも１つを実施することを含む、方法。
【請求項４８】
前記ＵＥが前記第１のＢＰＬを使用して送信された前記制御情報を見つけることができないとき、前記ＵＥが、制御情報について前記第２の探索空間を探索するために前記第２のＢＰＬに対応する前記第２のパラメータを使用する、請求項２３に記載の方法。
【請求項４９】
ＱＣＬパラメータの前記第１および第２のセットの各々における前記ＱＣＬパラメータのうちの少なくとも１つが、空間ＱＣＬパラメータである、請求項２４に記載の方法。
【発明の詳細な説明】
【技術分野】
【０００１】
開示されるのは、２つ以上の（すなわち、複数の）ビームペアリンク（ＢＰＬ）を使用して制御情報をＵＥに送信するための実施形態である。
【背景技術】
【０００２】
１．０  導入
第３世代パートナーシッププロジェクト（３ＧＰＰ）は、次世代移動体通信システム（別名、５Ｇ移動体通信システム、または略して単に「５Ｇ」）の開発および設計への取り組みに着手している。５Ｇは、今日の４Ｇネットワークの進化、および「Ｎｅｗ  Ｒａｄｉｏ」（ＮＲ）として知られる新規の国際的に標準化された無線アクセス技術の追加を包含する。
【０００３】
ＮＲの多種多様な要件は、多くの異なるキャリア周波数にある周波数帯域が必要とされることを示唆する。例えば、低域は十分なカバレッジを達成するために必要とされ、より高い帯域（例えば、３０ＧＨｚ近くまたは３０ＧＨｚ超など、ｍｍＷ）は、必要な容量に達するために必要とされる。高周波数では、伝搬特性はより困難であり、基地局（例えば、ｅＮＢまたはｇＮＢ）での高次のビーム成形は、十分なリンクバジェットに達することが必要とされる。例えば、狭ビーム送信および受信方式は、高伝搬損失を補償するためにより高い周波数で必要とされ得る。所与の通信リンクの場合、ビームは、送信地点（ＴＲＰ）において適用され得（すなわち、送信（ＴＸ）ビーム）、ビームは、ユーザ機器（ＵＥ）において適用され得（すなわち、受信（ＲＸ）ビーム）、これはまとめて、「ビームペアリンク」（ＢＰＬ）または略して単に「リンク」と呼ばれる。
【０００４】
ＮＲは、ビーム中心設計を有し、これは、従来のセルコンセプトが緩和され、ユーザ機器（ＵＥ）（すなわち、固定型または移動体無線通信デバイス）が、多くの場合において、接続されて、セルの代わりに狭ビーム間の「ハンドオーバ」を実施することを意味する。したがって、３ＧＰＰは、ビーム間（送信地点（ＴＲＰ）内および送信地点間の両方）のモビリティを取り扱うためのコンセプトを研究することに同意している。本明細書で使用される場合、ＴＲＰは、基地局または基地局の構成要素である。高利得ビーム成形が必要とされるより高い周波数では、各ビームは、小さいエリア（すなわち、ビームのカバレッジエリア）内でのみ有用であり、カバレッジエリア外のリンクバジェットは素早く低下する。したがって、頻繁かつ高速なビーム切換方法が、高い性能を維持するために必要とされる。
【０００５】
１．１  ビーム成形
ビーム成形は、アンテナアレイの複数のアンテナエレメントから、各アンテナエレメントのための信号に適用される振幅および／または位相シフトで、同じ信号を送信することを示唆する。これらの振幅／位相シフトは、アンテナ重みとして一般に示され、アンテナの各々のアンテナ重みの集積が、プリコーディングベクトルである。そのようなアンテナ重みおよびプリコーディングベクトルは、送信空間フィルタリング設定の例である。
【０００６】
異なる送信空間フィルタリング設定（例えば、異なるプリコーディングベクトル）は、送信信号のビーム成形を引き起こし、重みは、信号が、アンテナアレイから見たときに特定の角度方向にコヒーレント結合するように制御され得、この場合、送信（ＴＸ）ビームはその方向に成形されると言える。したがって、いくつかの文脈において、ＴＸビームについて言及するときには、特定の送信空間フィルタリング設定（別名、「ビーム成形重み」または「ビームパラメータ」）について言及しており、また、ＲＸビームについて言及するときには、特定の受信空間フィルタリング設定について言及している。アレイのアンテナが２次元、すなわち平面に配置される場合、ビームは、アンテナアレイに垂直の平面に対して方位方向および高度方向の両方に向けられ得る。
【０００７】
１．２  参照信号、アンテナポート、および疑似コロケーション（ＱＣＬ）
ＬＴＥでは、チャネル推定のために使用される参照信号（ＲＳ）は、等価にアンテナポートとして示される。したがって、ＵＥは、関連ＲＳを使用することによって１つのアンテナポートからチャネルを推定することができる。そのため、特定のデータまたは制御送信をアンテナポートと関連付けることができ、これは、ＵＥが、そのアンテナポートのためのＲＳを使用して、関連した制御またはデータチャネルを復調するために使用されるチャネルを推定すると言うに等しい。また、データまたは制御チャネルは、そのアンテナポートを使用して送信されると言うこともできる。
【０００８】
ＬＴＥでは、疑似コロケーションのコンセプトは、制御またはデータチャネルを復調するときのチャネル推定性能を改善するために導入された。このコンセプトは、ＵＥが、チャネル推定アルゴリズムを調整するために、１つの参照信号からロングタームチャネル特性を推定することができるということに依拠する。例えば、平均チャネル遅延広がりは、１つのアンテナポートを使用して推定され得、別のアンテナポートを使用して送信されたデータチャネルを復調するときに使用され得る。これが許される場合には、第１および第２のアンテナポートが、平均チャネル遅延広がりに関して、疑似コロケーション（ＱＣＬ）されると定められる。
【０００９】
したがって、ＬＴＥ仕様において使用される場合、２つのアンテナポートは、１つのアンテナポート上のシンボルが伝達されるチャネルの大規模チャネル特性が他のアンテナポート上のシンボルが伝達されるチャネルから推察され得る場合に、「疑似コロケーション」される。大規模チャネル特性は、好ましくは、遅延広がり、ドップラー広がり、ドップラーシフト、平均利得、および平均遅延のうちの１つまたは複数を含む。
【００１０】
加えて、または代替的に、大規模チャネル特性は、各ポートの受信電力、受信タイミング（すなわち、最初の有意なチャネルタップのタイミング）、有意なチャネルタップの数、および周波数シフトのうちの１つまたは複数を含み得る。疑似コロケーションされたアンテナポートに対応するＲＳに基づいてチャネル推定アルゴリズム調整を実施することによって、チャネル推定の質は実質的に改善される。
【００１１】
ＮＲでは、ＬＴＥの場合のそれらのＱＣＬパラメータ使用に加えて、チャネルの空間特性のためのＱＣＬを導入することが同意されている。空間チャネル特性に依存する新規のＱＣＬパラメータで既存のＱＣＬフレームワークを補足することによって、ＵＥは明示的に指定されない限り１つの参照信号からの測定値を別の信号の受信または処理を助けるために使用することを許可されないというルールに違反することなく、ＵＥが異なる信号タイプにわたって空間処理を実施することを可能にし得る。
【００１２】
そのような空間処理の例は、アナログ受信器ビーム成形、およびチャネル推定を改善するために空間処理利得を使用したチャネル推定である。
【００１３】
ネットワーク内の２つのノード、ＴＸノードおよびＲＸノード間の通信を仮定する。ＴＸノードは、１つまたは複数の送信アンテナポートから参照信号（ＲＳ）の第１のセットを送信する。ＲＸノードは、１つまたは複数の受信アンテナポートを使用して送信された参照信号を受信し、受信した送信ＲＳの第１のセットに基づいて、チャネルの空間特性を捕捉する１つまたは複数のパラメータを決定または推定する。ＲＸノードは、１つまたは複数の送信アンテナポートからの送信ＲＳの第２のセットが第１のＲＳと疑似コロケーション（ＱＣＬ）されるという指示を決定し、ＱＣＬは、チャネルの空間特性を捕捉する１つまたは複数のパラメータに関して付与される。ＴＸノードは、１つまたは複数の送信アンテナポートから送信ＲＳの第２のセットを送信する。ＲＸノードは、ＲＳの第２のセットの受信を助けるために、ＲＳの第１のセットに基づくチャネルの空間特性を捕捉する１つまたは複数の決定されたパラメータを利用する。
【００１４】
言い換えると、ＲＸノード、典型的にはＵＥは、第２のＲＳが空間パラメータに関して第１のＲＳとＱＣＬされる場合には、ＵＥが第１の信号（例えば、測定信号、例えば、ＣＳＩ−ＲＳ）を受信したときに使用したＲＸビーム成形と同じＲＸビーム成形重みを使用して、第２の信号および関連ＲＳ（制御またはデータ送信ＤＭＲＳ）を受信することができる。
【００１５】
空間特性に関連するＱＣＬパラメータは、ＵＥ  ＲＸビーム成形またはＵＥ  ＲＸ受信パラメータに関連する。したがって、ＵＥが２つの異なる空間ＱＣＬパラメータを使用する場合、ＵＥが２つの異なるＲＸビーム成形重み（または等価に、ＵＥ  ＲＸアンテナから信号を組み合わせる２つの異なるやり方）を使用するということを示すことができる。
【００１６】
空間パラメータは、到来角、角度広がりまたは空間相関、ＲＸ側またはＴＸ側における空間相関行列であり得る。
【００１７】
ＵＥ側のビーム成形／データ受信のために使用される受信手順に係る情報は、ＱＣＬを通じてＵＥに（基地局から）示され得るということが、ＮＲでは同意されている。
【００１８】
１．３  制御チャネル探索空間および制御シグナリング
無線リンクを介してユーザに送信された情報は、制御情報（別名、制御メッセージ）またはユーザデータとして広く分類され得る。制御情報は、システムの正確な動作ならびにシステム内の各ＵＥの正確な動作を促進するために使用される。制御情報は、ＵＥからの送信電力、リソースブロック（ＲＢ）のシグナリングなどの機能を制御するためのコマンドを含み得、このリソースブロックとは、その中で情報がＵＥによって受信されることになる、またはＵＥから送信されることになるといったものである。制御情報の例としては、例えばスケジューリング情報および電力制御メッセージを伝える物理ダウンリンク制御チャネル（ＰＤＣＣＨ）、以前のアップリンク送信に応答して送られるＡＣＫ／ＮＡＣＫメッセージを伝える物理ＨＡＲＱインジケータチャネル（ＰＨＩＣＨ）、ならびにシステム情報を伝える物理ブロードキャストチャネル（ＰＢＣＨ）が挙げられる。また、一次および二次同期信号（ＰＳＳ／ＳＳＳ）は、固定ロケーションならびに時間および周波数における周期性を有する制御信号として見られ得るため、その結果として、ネットワークに最初にアクセスするＵＥは、それらを見つけて同期することができる。
【００１９】
ＬＴＥにおけるＰＢＣＨは、ＰＤＣＣＨ送信によってスケジューリングされないが、一次および二次同期信号（ＰＳＳ／ＳＳＳ）に対して固定ロケーションを有する。したがって、ＬＴＥ  ＵＥは、ＰＤＣＣＨを読み出すことができる前に、ＢＣＨ内で送信されたシステム情報を受信することができる。ＢＣＨ内のペイロード（マスター情報ブロック（ＭＩＢ）と呼ばれる）は、完全に利用されるわけではなく、将来の使用のために使用され得るいくつかの未指定の「予備」ビットを含むことに留意されたい。
【００２０】
ＬＴＥ  Ｒｅｌ−１０では、ＵＥへのすべての制御メッセージは、セル固有ＲＳ（ＣＲＳ）を使用して復調され、したがってこれらのメッセージは、セル内のすべてのＵＥに、それらの位置に関する知識を有することなく到達するためにセルワイドカバレッジを有する。例外は、スタンドアローンであり、復調の前にＣＲＳの受信を必要としないＰＳＳおよびＳＳＳである。設定に応じて、サブフレーム内の最初の１つから４つのＯＦＤＭシンボルは、図１に示されるように、そのような制御情報を含むために確保される。制御メッセージは、ｅＮＢによってカバーされているセル内の、１つのＵＥにのみ送られる必要があるメッセージのタイプのもの（ＵＥ固有制御）、およびすべてのＵＥまたは２つ以上に達するＵＥのいくつかのサブセットに送られる必要があるもの（共通制御）にカテゴリ分けされ得る。
【００２１】
ＰＤＣＣＨタイプの制御メッセージは、ＣＲＳを使用して復調され、制御チャネルエレメント（ＣＣＥ）という単位の倍数で送信され、各ＣＣＥが３６個のリソースエレメント（ＲＥ）を含む。ＰＤＣＣＨは、制御メッセージのリンク適合を可能にするために１、２、４、または８つのＣＣＥのアグリゲーションレベル（ＡＬ）を有し得る。さらに、各ＣＣＥは、それぞれ４つのＲＥからなる９つのリソースエレメントグループ（ＲＥＧ）にマップされる。これらのＲＥＧは、ＣＣＥに対して周波数ダイバシティを提供するためにシステム帯域幅全体にわたって分散される。したがって、最大８つのＣＣＥからなるＰＤＣＣＨは、設定に応じて、最初の１つから４つのＯＦＤＭシンボルにおいては、システム帯域幅全体に及ぶ。
【００２２】
ＬＴＥ  ＵＥへの物理ダウンリンク共有データチャネル（ＰＤＳＣＨ）の送信は、制御メッセージのために使用されないＲＢペア内（すなわち、図１に示されるデータエリア内）のＲＥ、またはＲＳを使用しており、ＰＤＳＣＨ送信モードに応じて、復調用参照としてＵＥ固有ＲＳまたはＣＲＳのいずれかを使用して送信され得る。ＬＴＥにおけるＵＥ固有ＲＳの使用は、受信信号エネルギーがＵＥにおいて増加し、結果として、チャネル推定性能が改善され、送信のデータレートが増加され得るように、マルチアンテナＬＴＥ基地局（ｅＮＢ）が、複数のアンテナから送信されたデータおよび参照信号の両方のプリコーディングを使用して送信を最適化することを可能にする。
【００２３】
ＮＲの場合、ＵＥ固有ＲＳが制御チャネル送信にも同様に使用されることが予測される。
【００２４】
１．３．１  ＬＴＥにおけるＰＤＣＣＨ処理
チャネル符号化、スクランブル、変調、および制御情報のインターリーブの後、変調シンボルは、制御エリア内のリソースエレメントにマップされる。上で述べたように、制御チャネルエレメント（ＣＣＥ）は規定されており、各ＣＣＥが３６個のリソースエレメントにマップする。アグリゲーションレベルを選択することによって、ＰＤＣＣＨのリンク適合が得られる。全体で、サブフレーム内で送信されるべきすべてのＰＤＣＣＨに利用可能なＮＣＣＥ個のＣＣＥが存在し、数ＮＣＣＥは、制御シンボルの数ｎおよび設定されたＰＨＩＣＨリソースの数に応じてサブフレームによって異なる。
【００２５】
ＮＣＣＥはサブフレームによって異なるため、端末は、ＰＤＣＣＨのために使用されるＣＣＥの位置ならびに数をやみくもに決定する必要があり、これは、計算集約的な復号タスクであり得る。したがって、端末が行う必要がある潜在的なブラインド復号の数におけるいくつかの制限が、Ｒｅｌ．８において導入された。例えば、ＣＣＥは番号付けされ、サイズＫのＣＣＥアグリゲーションレベルは、Ｋで割り切れるＣＣＥ数でのみ開始することができ、図２を参照されたい。
【００２６】
端末がブラインド復号して、有効ＰＤＣＣＨを探索する必要があるＣＣＥのセットは、ＵＥ「探索空間」と呼ばれる。これは、端末がスケジューリング指定または他の制御情報について監視するべきＡＬ上のＣＣＥのセットであり、図３の例を参照されたい。各サブフレーム内および各ＡＬ上において、端末は、その探索空間内のＣＣＥから形成され得るすべてのＰＤＣＣＨを復号することを試みる。ＣＲＣが一致する場合、ＰＤＣＣＨの内容は、端末にとって有効であると仮定され、ＣＲＣは受信情報をさらに処理する。多くの場合、２つ以上の端末が重複する探索空間を有し、ネットワークは、制御チャネルのスケジューリングのためにそれらのうちの１つを選択しなければならない。これが起きるとき、スケジューリングされない端末はブロックされることになる。ＵＥのための探索空間は、このブロッキングの可能性を最小限にするためにサブフレームによって疑似ランダム的に変わる。
【００２７】
探索空間は、共通部および端末固有部にさらに分割される。共通探索空間においては、端末のすべてまたはグループへの情報を含むＰＤＣＣＨが送信される（ページング、システム情報など）。キャリアアグリゲーションが使用される場合、端末は、プライマリコンポーネントキャリア（ＰＣＣ）のみに存在する共通探索空間を見つける。共通探索空間は、セル内のすべての端末に対する十分なチャネルコード保護を得るためにアグリゲーションレベル４および８に制限される（これはブロードキャストチャネルであるため、リンク適合は使用することができない）。８または４のＡＬにおけるｍ８およびｍ４の第１のＰＤＣＣＨ（最低ＣＣＥ数を有するという意味での第１）は、それぞれ共通探索空間に属する。システム内のＣＣＥの効率的使用のために、残りの探索空間は、各アグリゲーションレベルにおいて端末固有である。
【００２８】
ＣＣＥは、このＣＣＥに固有な３６個のＲＥにマップする３６個のＱＰＳＫ変調シンボルからなる。したがって、ＣＣＥを知ることは、ＲＥが自動的に知られることを意味する。ダイバシティおよび干渉ランダム化を最大限にするために、セル固有巡回シフトおよびＲＥへのマッピングの前にインターリーブが使用され、図４の処理ステップを参照されたい。大半の場合、端末探索空間およびアグリゲーションレベルに対するＰＤＣＣＨロケーション制限に起因していくつかのＣＣＥは空であることに留意されたい。空のＣＣＥは、探索空間構造を維持するために任意の他のＰＤＣＣＨとしてインターリーブプロセスおよびＲＥへのマッピングに含まれる。空のＣＣＥは、ゼロ電力にセットされ、この電力は、ＰＤＣＣＨ送信をさらに強化するために空ではないＣＣＥによって代わりに使用され得る。
【００２９】
さらに、４アンテナＴＸダイバシティの使用を可能にするため、ＣＣＥ内の４つの隣接するＱＰＳＫシンボルのグループが、ＲＥグループ（ＲＥＧ）と示される、４つの隣接するＲＥにマップされる。したがって、ＣＣＥインターリーブは、四重（４つからなるグループ）ベースであり、マッピングプロセスは、１ＲＥＧの粒度を有し、１つのＣＣＥは、９個のＲＥＧ（＝３６個のＲＥ）に対応する。
【００３０】
ＬＴＥでは、各ＰＤＣＣＨは、制御エリアについて設定されるすべてのＯＦＤＭシンボル内のＲＥにマップされる。これは、システム帯域幅全体に及ぶ制御エリアへの、ＬＴＥ内のＰＤＣＣＨに属する１つのＣＣＥのマッピングである図１においても見られる。
【発明の概要】
【００３１】
ＵＥを狭ビームに接続することにおける１つの問題は、ビーム上で送信された信号が、例えば、物体がビーム成形信号の妨げになり、ビーム成形信号をブロックする場合には、容易に劣化され得ることである。高い侵入損失および高周波数での乏しい回折特性に起因して、ブロックする物体は、ＴＸビームとＵＥとの間の接続を失うことにつながり得、その結果、制御チャネルを検出することができず、これは、通話の中断および悪いユーザ体験につながり得る。そのような状況は、「ビームペアリンク障害」（ＢＰＬＦ）と見なされる。
【００３２】
したがって、狭ビームの動作条件およびブロックする物体の存在下においてさえもＵＥとの通信リンクをどのようにして維持するかが問題である。特に、そのような動作条件においてデータスケジューリング指定またはスケジューリンググラントを伝えるダウンリンク（ＤＬ）制御シグナリング（例えば、ＰＤＣＣＨ）をどのようにして送信および受信するかが問題である。
【００３３】
この問題を克服する１つのやり方は、２つ以上のビーム内でＤＬ制御シグナリング（例えば、ＰＤＣＣＨ）を送信する（すなわち、２つ以上の送信空間フィルタリング設定を使用してＤＬ制御シグナリングを送信する）ことによって、ビームペアリンク障害に対するロバスト性を増大させることである。すなわち、ＢＰＬＦを軽減するための１つのやり方は、ＵＥが、第１のＢＰＬ（時に、「アクティブリンク」と呼ばれる）および第２のＢＰＬ（時に、監視対象リンクと呼ばれる）の両方を介して、第１のＢＰＬと比較して第２のＢＰＬではより大きいデューティサイクルで、ＤＬ制御シグナリングを受信することである。例えば、制御シグナリングは、第１のリンクにおいてはスロットごとにスケジューリングされ得、第２のリンクにおいてはＮ個のスロットごとにスケジューリングされ得る。このやり方では、第１のＢＰＬがブロックされ、ＵＥが第１のＢＰＬ上の制御シグナリング（すなわち、第１の送信空間設定を使用して送信された制御シグナリング）を復号することができない場合、ＵＥは、第２のリンク上で送信された制御シグナリング（すなわち、第２の送信空間設定を使用して送信された制御シグナリング）を受信することができる。
【００３４】
好ましくは、２つ以上のＢＰＬ上での制御シグナリングの送信は、効率的なやり方で実施される。加えて、ＵＥは、ロバストかつ効率的なやり方でＢＰＬを監視するように設定されなければならない。これを行う主な利点は、接続、特に高周波数でのＰＤＣＣＨ送信および受信が、ＢＰＬＦに対してよりロバストであるということである。
【００３５】
２つ以上のビーム内で制御シグナリングを送信することは、１つの実施形態においては、制御チャネル探索空間内の各制御チャネル候補を空間ＱＣＬパラメータと関連付けることによって達成され得る。言い換えると、２つの制御チャネル候補は、２つの候補が空間特性に関して異なるＱＣＬパラメータを有する場合には、異なるＵＥ  ＲＸビーム、したがってそれぞれ２つの異なるＴＸビームを用いて、受信され得る。これは、アクティブＢＰＬおよび監視対象ＢＰＬの両方がＵＥへのまたはＵＥからのデータメッセージをスケジューリングするために使用され得ることから、ビームペアリンク障害に対するロバスト性を付与する。
【００３６】
したがって、ＵＥのための、第１のＢＰＬ（例えば、アクティブＢＰＬ）を使用して、したがって第１のＴＸビームを使用して（例えば、第１のプリコーディングベクトルを使用して）ＴＲＰがＰＤＣＣＨをＵＥに送信することに加えて、ＴＲＰは、ダイバシティを達成するために、第２のＢＰＬ（例えば、監視対象ＢＰＬ）を使用して、したがって第２のＴＸビーム（例えば、第２のプリコーディングベクトルを使用して）ＰＤＣＣＨをＵＥに送信する。いくつかの実施形態において、第１のＢＰＬと比較して、より長いデューティサイクルが、第２のＢＰＬを使用して送信されたＰＤＣＣＨのために使用される。ＰＤＣＣＨを復号することを試みるときに使用するための、空間ＱＣＬパラメータとＰＤＣＣＨ候補との間の関係は、１つのサブフレームまたは異なるサブフレーム（または他の規定された時間期間）における探索空間内の異なるＰＤＣＣＨ候補では異なり得る。代替的に、ＰＤＣＣＨを復号することを試みるときに使用するための、ＰＤＣＣＨ候補と使用されるＴＸビームしたがってＲＸビームとの間の関連性は、１つのサブフレームまたは異なるサブフレーム（または等価に、他の規定された時間期間）のいずれかにおける、ＵＥのための探索空間内の異なるＰＤＣＣＨ候補では異なり得る。
【００３７】
したがって、１つの態様において、ＵＥと通信するためのＴＲＰによって実施される方法が提供される。本方法は、ＵＥと通信するための第１のビームペアリンク（ＢＰＬ）を使用することであって、第１のＢＰＬが、第１の送信空間フィルタリング設定、および第１の送信空間フィルタリング設定に対応する第１の受信空間フィルタリング設定を含む、使用することと、第１のＢＰＬを使用して制御情報をＵＥに送信することと、ＴＲＰが第２のＢＰＬを使用して制御情報をＵＥに送信し得るスロットを示すスケジューリング情報をＵＥに提供することであって、第２のＢＰＬが、第２の送信空間フィルタリング設定を含む、提供することと、を含む。
【００３８】
いくつかの実施形態において、本方法は、ＴＲＰが、第１のＢＰＬがビームペアリンク障害（ＢＰＬＦ）を受けたことを検出することと、第１のＢＰＬがＢＰＬＦを受けたという検出の結果として、ＴＲＰが、第２のＢＰＬを使用して、示されたスロット内で制御情報をＵＥに送信することと、をさらに含む。
【００３９】
いくつかの実施形態において、第２のＢＰＬを使用して、示されたスロット内でＵＥに送信された制御情報は、第２のＢＰＬが現在ＵＥのためのアクティブＢＰＬであることをＵＥに伝える。いくつかの実施形態において、ＵＥは、第２のＢＰＬを使用してＴＲＰによって送信された制御情報について、示されたスロットの制御エリアを探索するように設定される。
【００４０】
いくつかの実施形態において、第１のＢＰＬを使用して制御情報をＵＥに送信するステップは、Ｎ個の連続したスロットのうちのＭ個以下において第１のＢＰＬを使用して制御情報をＵＥに送信することを含み、Ｎは１よりも大きく、ＭはＮ以下であり、示されたスロットは、Ｎ個の連続したスロットのうちの１つである。いくつかの実施形態において、スケジューリング情報は、ＴＲＰが第２のＢＰＬを使用して制御情報をＵＥに送信し得るＬ個のスロットを示し、Ｌは１以上であり、ＬはＭ未満であり、Ｌ個のスロットの各々は、Ｎ個の連続したスロットのうちの１つである。いくつかの実施形態において、Ｍ＝Ｎ−１およびＬ＝１である。いくつかの実施形態において、Ｎ個の連続したスロットのうちの１つにおいて、ＴＲＰは、第２のＢＰＬを使用して制御情報をＵＥに送信するが、第１のＢＰＬを使用して制御情報をＵＥに送信しない。いくつかの実施形態において、Ｍ＝ＮおよびＬ＝１である。
【００４１】
別の態様において、ＵＥと通信する１つまたは複数のＴＲＰによって実施される方法が存在する。本方法は、第１の探索空間および第２の探索空間を規定することであって、第１の送信空間フィルタリング設定が、第１の探索空間と関連付けられ、第２の送信空間フィルタリング設定が、第２の探索空間と関連付けられる、規定することと、ＵＥへの制御チャネル候補の送信のため、第１または第２の探索空間を選択することと、選択された探索空間と関連付けられた送信空間フィルタリング設定を使用して、選択された探索空間に属する制御チャネルリソース内で制御チャネル候補を送信することと、を含む。
【００４２】
いくつかの実施形態において、第１の送信空間フィルタリング設定は第１のＢＰＬに関連し、第２の送信空間フィルタリング設定は第２のＢＰＬに関連する。いくつかの実施形態において、選択は、第１のＢＰＬがビームペアリンク障害（ＢＰＬＦ）を受けたという情報に基づく。
【００４３】
いくつかの実施形態において、第１の探索空間は制御エリアの第１の部分であり、第２の探索空間は制御エリアの第２の部分である。いくつかの実施形態において、制御エリアの第１の部分および制御エリアの第２の部分は、少なくとも部分的に時間が重複するか、または、制御エリアの第１の部分は、制御エリアの第２の部分と時間が重複しない。
【００４４】
いくつかの実施形態において、第１の探索空間は第１の制御エリアであり、第２の探索空間は第２の制御エリアである。いくつかの実施形態において、第１の制御エリアおよび第２の制御エリアは、少なくとも部分的に時間が重複するか、または、第１の制御エリアは、第２の制御エリアと時間が重複しない。
【００４５】
別の態様において、本開示に説明されるＴＲＰ方法のいずれかを実施するように設定されるＴＲＰが提供される。例えば、いくつかの実施形態において、ＴＲＰは、送信器と、受信器と、メモリと、１つまたは複数のプロセッサを備えるデータ処理システムとを備え、ＴＲＰは、本開示に説明されるＴＲＰ方法のいずれかを実施するように設定される。
【００４６】
別の態様において、１つまたは複数のＴＲＰと通信するＵＥによって実施される方法が提供され、ＴＲＰは、第１の送信空間フィルタリング設定、および第１の送信空間フィルタリング設定に対応する第１の受信空間フィルタリング設定を含む第１のビームペアリンク（ＢＰＬ）を使用して情報をＵＥに送信するように設定される。本方法は、ＵＥが、第１のＢＰＬを使用してＵＥに送信された制御情報を獲得するために、第１の送信空間フィルタリング設定に対応する第１の受信空間フィルタリング設定を使用することと、ＵＥが、ＴＲＰのうちの１つが、第２の送信空間フィルタリング設定、および第２の送信空間フィルタリング設定に対応する第２の受信空間フィルタリング設定を含む第２のＢＰＬを使用して制御情報をＵＥに送信し得るスロットを示すスケジューリング情報を獲得することと、を含む。
【００４７】
いくつかの実施形態において、第１のＢＰＬがビームペアリンク障害を受けたことをＴＲＰが検出した際には、ＴＲＰは、第２のＢＰＬを使用してスロット内で制御情報をＵＥに送信する。
【００４８】
いくつかの実施形態において、スケジューリング情報を受信した結果として、ＵＥは、ＵＥに送信された制御情報のための示されたスロットを探索するために、第２の送信空間フィルタリング設定に対応する第２の受信空間フィルタリング設定を使用し、また、探索の結果として、ＵＥは、ＵＥに送信された制御情報を獲得し、獲得された制御情報は、第２のＢＰＬが現在ＵＥのためのアクティブＢＰＬであることをＵＥに伝える。
【００４９】
いくつかの実施形態において、示されたスロットは、ＴＲＰが第１のＢＰＬを使用して制御情報をＵＥに送信しないスロットである。
【００５０】
別の態様において、ＵＥによって実施される別の方法が存在する。本方法は、ＵＥが、第１のＢＰＬを使用してＴＲＰによってＵＥに送信された制御情報について第１の探索空間を探索するために第１のＢＰＬに対応する第１のパラメータを使用することと、ＵＥが、第２のＢＰＬを使用してＴＲＰによってＵＥに送信された制御情報について第２の探索空間を探索するために第２のＢＰＬに対応する第２のパラメータを使用することとを含む。第１のＢＰＬは、第１の送信空間フィルタリング設定、および第１の送信空間フィルタリング設定に対応する第１の受信空間フィルタリング設定を含む。第２のＢＰＬは、第２の送信空間フィルタリング設定、および第２の送信空間フィルタリング設定に対応する第２の受信空間フィルタリング設定を含む。いくつかの実施形態において、ＵＥが第１のＢＰＬを使用して送信された制御情報を見つけることができないとき、ＵＥは、制御情報について第２の探索空間を探索するために第２のＢＰＬに対応する第２のパラメータを使用する。
【００５１】
別の態様において、ＵＥによって実施される別の方法が存在する。本方法は、ＵＥが、第１の探索空間内で送信された制御チャネル候補を受信するための第１のＱＣＬパラメータを使用することと、ＵＥが、第２の探索空間内で送信された制御チャネル候補を受信するための第２のＱＣＬパラメータを使用することとを含む。いくつかの実施形態において、第１の探索空間は制御エリアの第１の部分であり、第２の探索空間は制御エリアの第２の部分である。いくつかの実施形態において、制御エリアの第１の部分および制御エリアの第２の部分は、少なくとも部分的に時間が重複するか、または、制御エリアの第１の部分は、制御エリアの第２の部分と時間が重複しない。
【００５２】
いくつかの実施形態において、第１の探索空間は第１の制御エリアであり、第２の探索空間は第２の制御エリアである。いくつかの実施形態において、第１の制御エリアおよび第２の制御エリアは、少なくとも部分的に時間が重複するか、または、第１の制御エリアは、第２の制御エリアと時間が重複しない。
【００５３】
いくつかの実施形態において、本方法は、ＵＥが、上位層メッセージを使用して設定情報を受信することをさらに含み、設定情報は、第１および第２の探索空間を設定する。
【００５４】
別の態様において、本開示に説明されるＵＥ方法のいずれかを実施するように設定されるＵＥが提供される。例えば、いくつかの実施形態において、ＵＥは、送信器と、受信器と、メモリと、１つまたは複数のプロセッサを備えるデータ処理システムとを備え、ＵＥは、本開示に説明されるＵＥ方法のいずれかを実施するように設定される。
【００５５】
別の態様において、ＵＥと通信するための第１のＴＲＰおよびＵＥと通信するための第２のＴＲＰを備えるシステムによって実施される方法が提供される。本方法は、第１のＴＲＰが、ＵＥと通信するための第１のビームペアリンク（ＢＰＬ）を使用することと、第２のＴＲＰが、ＵＥと通信するための第２のＢＰＬを使用することと、第１のＴＲＰが、第１のＢＰＬを使用して制御情報をＵＥに送信することと、第２のＴＲＰが第２のＢＰＬを使用して制御情報をＵＥに送信し得るスロットを示すスケジューリング情報をＵＥに提供することと、を含む。
【００５６】
いくつかの実施形態において、本方法はまた、第１のＢＰＬがビームペアリンク障害（ＢＰＬＦ）を受けたことを検出することと、第１のＢＰＬがＢＰＬＦを受けたという検出の結果として、第２のＴＲＰが、第２のＢＰＬを使用して、示されたスロット内で制御情報をＵＥに送信することとを含む。いくつかの実施形態において、第２のＢＰＬを使用して、示されたスロット内でＵＥに送信された制御情報は、第２のＢＰＬが現在ＵＥのためのアクティブＢＰＬであることをＵＥに伝える。いくつかの実施形態において、ＵＥは、第２のＢＰＬを使用して第２のＴＲＰによって送信された制御情報について、示されたスロットの制御エリアを探索するように設定される。
【００５７】
いくつかの実施形態において、第１のＢＰＬを使用して制御情報をＵＥに送信するステップは、Ｎ個の連続したスロットのうちのＭ個以下において第１のＢＰＬを使用して制御情報をＵＥに送信することを含み、Ｎは１よりも大きく、ＭはＮ以下であり、示されたスロットは、Ｎ個の連続したスロットのうちの１つである。いくつかの実施形態において、スケジューリング情報は、第２のＴＲＰが第２のＢＰＬを使用して制御情報をＵＥに送信し得るＬ個のスロットを示し、Ｌは１以上であり、ＬはＭ未満であり、Ｌ個のスロットの各々は、Ｎ個の連続したスロットのうちの１つである。いくつかの実施形態において、Ｍ＝Ｎ−１およびＬ＝１である。いくつかの実施形態において、Ｎ個の連続したスロットのうちの１つにおいて、第２のＴＲＰは、第２のＢＰＬを使用して制御情報をＵＥに送信するが、第１のＴＲＰは、第１のＢＰＬを使用して制御情報をＵＥに送信しない。いくつかの実施形態において、Ｍ＝ＮおよびＬ＝１である。
【００５８】
別の態様において、１つまたは複数のＴＲＰによって実施される別の方法が提供される。本方法は、ＴＲＰが、第１の探索空間内でＰＤＣＣＨ制御メッセージを送信するために第１の送信空間フィルタリング設定を使用することと、ＴＲＰが、第２の探索空間内でＰＤＣＣＨ制御メッセージを送信するために第２の送信空間フィルタリング設定を使用することと、を含む。いくつかの実施形態において、第１の探索空間は制御エリアの第１の部分であり、第２の探索空間は制御エリアの第２の部分であるか、または、第１の探索空間は第１の制御エリアであり、第２の探索空間は第２の制御エリアである。
【００５９】
別の態様において、１つまたは複数のＴＲＰによって実施される別の方法が提供される。本方法は、ＴＲＰが、スロットの１つまたは複数のシンボルの第１のセットにおいてＰＤＣＣＨ制御メッセージを送信するために第１の送信空間フィルタリング設定を使用することと、ＴＲＰが、スロットの１つまたは複数のシンボルの第２のセットにおいてＰＤＣＣＨ制御メッセージを送信するために第２の送信空間フィルタリング設定を使用することと、を含む。
【００６０】
別の態様において、ＵＥによって実施される別の方法が提供される。本方法は、ＵＥが、第１の探索空間内でＰＤＣＣＨ制御メッセージを探索するために第１の受信空間フィルタリング設定を使用することと、ＵＥが、第２の探索空間内でＰＤＣＣＨ制御メッセージを探索するために第２の受信空間フィルタリング設定を使用することと、を含む。いくつかの実施形態において、第１の探索空間は制御エリアの第１の部分であり、第２の探索空間は制御エリアの第２の部分であるか、または、第１の探索空間は第１の制御エリアであり、第２の探索空間は第２の制御エリアである。
【００６１】
別の態様において、ＵＥによって実施される別の方法が提供される。本方法は、ＵＥが、１つまたは複数のシンボルの第１のセットにおいてＰＤＣＣＨ制御メッセージを探索するために第１の受信空間フィルタリング設定を使用することと、ＵＥが、１つまたは複数のシンボルの第２のセットにおいてＰＤＣＣＨ制御メッセージを探索するために第２の受信空間フィルタリング設定を使用することと、を含む。
【００６２】
別の態様において、Ｍ個のビームペアリンク上で同時にＰＤＣＣＨを監視するようにＵＥを設定することであって、Ｍが１よりも大きい、ことと、異なるＰＤＣＣＨ  ＯＦＤＭシンボル内の異なるビームペアリンク上でＰＤＣＣＨを監視するようにＵＥを設定することと、のうちの少なくとも１つを実施することを含む方法が存在する。
【００６３】
本明細書内に組み込まれ、本明細書の部分を形成する添付の図面は、様々な実施形態を例証する。
【図面の簡単な説明】
【００６４】
【図１】例示的なサブフレームを例証する図である。
【図２】ＣＣＥアグリゲーションを例証する図である。
【図３】例となる探索空間を例証する図である。
【図４】処理ステップを例証するフローチャートである。
【図５Ａ】ＴＲＰとＵＥとの間の通信のためのアクティブＢＰＬおよび監視対象ＢＰＬの使用を例証する図である。
【図５Ｂ】ＴＲＰとＵＥとの間の通信のためのアクティブＢＰＬおよび監視対象ＢＰＬの使用を例証する図である。
【図５Ｃ】ＴＲＰとＵＥとの間の通信のためのアクティブＢＰＬおよび監視対象ＢＰＬの使用を例証する図である。
【図６】１つの実施形態に従うプロセスを例証するフローチャートである。
【図７】１つの実施形態に従うプロセスを例証するフローチャートである。
【図８】１つの実施形態に従うプロセスを例証するフローチャートである。
【図９】１つの実施形態に従うプロセスを例証するフローチャートである。
【図１０】１つの実施形態に従うプロセスを例証するフローチャートである。
【図１１】１つの実施形態に従うプロセスを例証するフローチャートである。
【図１２】１つの実施形態に従うプロセスを例証するフローチャートである。
【図１３】いくつかの実施形態に従うＵＥのブロック図である。
【図１４】いくつかの実施形態に従うＴＲＰのブロック図である。
【図１５】ＴＲＰとＵＥとの間の通信のための第１および第２のＢＰＬの使用を例証する図である。
【発明を実施するための形態】
【００６５】
ＢＰＬＦの問題を軽減するための１つのやり方は、第１の（例えば、アクティブ）ＢＰＬがＢＰＬＦを受ける（例えば、ブロックされる）場合に使用され得る第２の（例えば、監視対象（別名、バックアップ））送信（ＴＸ）ビームを使用する（例えば、数ある中でも第２のプリコーディングベクトルを使用する）ことである。したがって、少なくとも２つのＴＸビーム（例えば、少なくとも２つのプリコーディングベクトル）が、ＵＥと通信するために使用される。ＵＥがアナログビーム成形器を使用して受信（ＲＸ）ビーム成形を実施する場合、ＵＥは、そのＲＸビームを一度に１つのＴＸビームに対して調整することしかできない。同様に、ＴＲＰがアナログビーム成形を使用する場合、一度に１つのビームしか送信することができない。したがって、所与の時間においてＴＸビーム（すなわち、送信空間フィルタリング設定）を正しいＲＸビーム（すなわち、受信空間フィルタリング設定）と整列させる必要がある。各ＴＸビームについて、ＴＸビームに対応する「最適な」ＵＥ  ＲＸビームが存在する（例えば、最適な受信空間フィルタリング設定であり、これは、複数の受信アンテナを介して受信される各信号のために位相および／または振幅調節パラメータを含み得、このパラメータが、信号の結合または加算の前に信号に適用される）。
【００６６】
第１の送信空間フィルタリング設定（すなわち、ＴＸビーム）、およびＵＥにおけるその対応する受信空間フィルタリング設定（すなわち、ＲＸビーム）は、第１のビームペアリンク（ＢＰＬ）として見られ得、これは、制御、およびおそらくはデータ送信にも使用され得る。加えて、二次ＴＸビーム（すなわち、１つまたは複数の二次ＴＸビーム）および対応するＲＸビームは、二次（例えば、監視対象）ＢＰＬとして使用され得る。
【００６７】
ビーム管理は、例えば、測定を行い、測定結果をレポートするようにＵＥをトリガすることによってビームペアリンクを維持することを指す。第２のＢＰＬ（以後「監視対象ＢＰＬ」）の目的は、１）第１のＢＰＬ（以後「アクティブＢＰＬ」）より優れた新規のＢＰＬを発見すること、および２）アクティブＢＰＬがＢＰＬＦを受ける場合に監視対象ＢＰＬを有することである。通信の大半はアクティブＢＰＬ（すなわち、アクティブＴＸビームおよびアクティブＲＸビーム）を使用して起こるため、二次ＢＰＬは、「バックアップ」または「監視対象」ＢＰＬとして見られ得る。
【００６８】
これの例が、図５Ａ、図５Ｂ、および図５Ｃに例証される。図５Ａでは、制御情報（例えば、ＰＤＣＣＨ）およびユーザデータをＵＥに送信するためにＵＥ５０１のための１つのＢＰＬを使用し、ＵＥのための１つの監視対象（バックアップ）ＢＰＬをさらに使用するＴＲＰ５５０（例えば、基地局）が示される。図５Ａ、図５Ｂ、および図５Ｃは、ＵＥと通信する単一のＴＲＰを例証するが、他の実施形態においては、２つ以上のＴＲＰが、ＴＲＰと通信していてもよく、ＴＲＰのうちの１つは、ＵＥと通信するためにアクティブＢＰＬを使用し、ＴＲＰの別のものは、ＵＥと通信するために監視対象ＢＰＬを使用する（例えば、図１５を参照されたい）。
【００６９】
アクティブＢＰＬは、アクティブ送信（ＴＸ）ビーム５０２および対応するアクティブＲＸビーム５０６を含み、監視対象ＢＰＬは、監視対象ＴＸビーム５０４および対応する監視対象ＲＸビーム５０８を含む。ＵＥは、アクティブＴＸビーム５０２に対応するＲＸビーム５０６を使用して探索空間内のＰＤＣＣＨ候補を復号している（すなわち、基地局は、そのＰＤＣＣＨを、アクティブＴＸビームを使用してＵＥに送信している）。ＰＤＣＣＨは、制御チャネルがスケジューリング情報を伝えることを示すために全体にわたって使用される。別の用語は、ＮＲ−ＰＤＣＣＨであり得る。
【００７０】
図５Ｂでは、アクティブＢＰＬをブロックしており、それによりＵＥがアクティブＢＰＬに対するＢＰＬＦを検出することを引き起こす物体５９０が示される（すなわち、アクティブＴＸビーム／アクティブＲＸビームペア）。ＵＥがブロッキングに気付いていない場合にはＵＥは依然としてアクティブＴＸビーム５０２に対応するＵＥ  ＲＸビーム５０６を監視しているため、ＴＲＰは、ＰＤＣＣＨ送信を監視対象ＢＰＬに切り換えることができないという点で問題が生じる。さらには、ＴＲＰもブロックキング状態に気が付いていない場合がある。
【００７１】
ＴＲＰとＵＥとの間の接続を回復するために、ＴＲＰは、図５Ｃに例証されるように、監視対象ＢＰＬをＵＥのためのアクティブＢＰＬとして使用することができる。しかしながら、このビーム切換を効率的に実施するためには、ＴＲＰはまず、監視対象ＢＰＬをアクティブＢＰＬとして使用し始めるということをＵＥにシグナリングしなければならず、さもなければ、ＵＥは受信中にどのＵＥ  ＲＸビーム（すなわち、ＲＸビーム５０６またはＲＸビーム５０８）を使用すべきかが分からない。これが問題であるのは、制御シグナリングのために使用されるアクティブＢＰＬがブロックされ、劣悪なまたは存在しないチャネル品質を有するためである。ブロッキングが徐々に発生する場合には、信号が劣化し過ぎる前にこのシグナリングを実施する時間が存在し得る。
【００７２】
ブロッキングがあまりに早く発生するため、結果として、ＴＲＰが「ビーム切換」（別名、「ＢＰＬ切換」）をＵＥにシグナリングするための時間を有さないというリスクが存在し、またこの場合、ＵＥは、現在ブロックされているＴＸビーム５０２に対応するＲＸビーム５０６を使用してＰＤＣＣＨを探索し続け、失敗に終わる。ここに開示される実施形態はこの問題を克服する。
【００７３】
１つの実施形態において、ＴＲＰは、アクティブＢＰＬおよび監視対象ＢＰＬの両方を使用してＰＤＣＣＨ（または他の制御情報）をＵＥに送信し、それにより、ダイバシティを改善し、したがってロバスト性を改善する。いくつかの実施形態において、監視対象ＢＰＬがＰＤＣＣＨ送信および受信のために使用される時間またはリソースの割合は、例えば、ＲＲＣシグナリングなどの上位層シグナリングによって制御される。
【００７４】
典型的には、ＰＤＣＣＨは、アクティブＢＰＬと比較して、監視対象ＢＰＬを使用して送信されることはほとんどない。例えば、１つの実施形態において、ＰＤＣＣＨは、Ｎ個のサブフレームごとに（例えば、Ｎは、ネットワークによって設定される）、ＴＲＰが、ＵＥのためのアクティブＢＰＬの代わりにＵＥのための監視対象ＢＰＬを使用してＰＤＣＣＨをＵＥに送信するように、アクティブＢＰＬと監視対象ＢＰＬとの間で時間多重される。別の実施形態において、ＰＤＣＣＨは常に、ＵＥのためのアクティブＢＰＬを使用してＵＥに送信されるが、Ｎ個のサブフレームごとに（例えば、Ｎは、ネットワークによって設定される）、ＰＤＣＣＨはまた、ＵＥのための監視対象ＢＰＬを使用してＵＥに送信される。
【００７５】
ＵＥ側では、ＵＥがＵＥ  ＲＸビーム成形を使用する場合、対応する実施形態が適用でき、１）Ｎ個のサブフレームごとに、ＵＥがアクティブＢＰＬの代わりに監視対象ＢＰＬを使用してＰＤＣＣＨ探索空間を受信するように、ＰＤＣＣＨ探索空間は、アクティブＢＰＬと監視対象ＢＰＬとの間で時間多重される、ならびに２）ＰＤＣＣＨ探索空間は常に、アクティブＢＰＬを使用して監視されるが、Ｎ個のサブフレームごとに、ＰＤＣＣＨはまた、監視対象ＢＰＬを使用して監視される。
【００７６】
第１の実施形態において、所与のＵＥのためのＰＤＣＣＨ送信は、アクティブＢＰＬと監視対象ＢＰＬとの間で時間多重されるが、監視対象ＢＰＬではより長いデューティサイクルが好ましい。したがって、ＵＥは、ネットワークがＰＤＣＣＨ送信のために監視対象ＢＰＬを使用しているときにはいつも、監視対象ＢＰＬに対応するＲＸビーム（すなわち、監視対象ビームペアリンクのＲＸビーム）を使用するものとする。そのため、ネットワークおよびＵＥは、ＰＤＣＣＨ送信および受信のために第１または第２の（すなわち、アクティブおよび監視対象）ビームペアリンクを使用すべきときに同期される。
【００７７】
例えば、ＰＤＣＣＨは、アクティブＢＰＬを使用して続けて９回、および１０回目に監視対象ＢＰＬを使用して送信される。
【００７８】
１つの実施形態において、これは、ＰＤＣＣＨ候補を、所与のサブフレームにおける疑似相関フレームワーク内の特定の空間相関または到来角パラメータと関連付けることによって達成され得る。したがって、ＰＤＣＣＨ候補を受信するとき、ＵＥはまた、そのＰＤＣＣＨのためのＱＣＬパラメータも分かるため、ＵＥは、その受信のためにどのＲＸビームを使用すべきかが分かる。したがって、ＰＤＣＣＨは、ビーム管理プロセスを用いて、所与のアイデンティティ、またはリンク識別子（アクティブ／監視対象または［ビームペア］リンク１、リンク２など）またはＲＳもしくは別の信号と、空間的にＱＣＬである。したがって、ＰＤＣＣＨは、代替的に、以前に送信されたＣＳＩ測定参照信号のアイデンティティまたはリソースと空間的にＱＣＬであり得る。代替的に、ＰＤＣＣＨは、移動度ＲＳ、ビームＲＳ、一次または二次同期信号（ＰＳＳ、ＳＳＳ）などの移動度または同期のために使用される測定信号と空間的にＱＣＬであり得る。
【００７９】
ＴＲＰは、以前の信号、ＲＳ、またはプロセスが、空間パラメータに関して、ＰＤＣＣＨ受信のために使用される復調ＲＳとＱＣＬであるということをＵＥにシグナリングする。このシグナリングは、明示、黙示であり得る（標準規格内のルールにより得られるなど）。
【００８０】
したがって、ＰＤＣＣＨ候補は、少なくとも２つの異なる空間ＱＣＬセッティングとＱＣＬであり、ＵＥは、ＱＣＬセッティングに応じてその受信ビームを調節し得る。アクティブＢＰＬは、１つの空間ＱＣＬセッティング（第１のＲＸビーム）を有し、監視対象ＢＰＬは、異なる空間ＱＣＬセッティング（第２のＲＸビーム）を有する。第１の実施形態において、ＴＲＰからの所与のＵＥのためのＰＤＣＣＨ送信は、アクティブＢＰＬと監視対象ＢＰＬとの間で時間多重され、ＵＥは、それに応じて空間ＱＣＬセッティングを使用するが、監視対象ＢＰＬではおそらくはより長いデューティサイクルを用いる。
【００８１】
空間ＱＣＬパラメータとＰＤＣＣＨ候補との間の関係は、サブフレームごとであり得る。したがって、ＰＤＣＣＨを受信するために使用する空間ＱＣＬパラメータは、少なくとも、サブフレームなどの時間指標に依存する。
【００８２】
より一般的には、所与のサブフレーム内のＰＤＣＣＨ探索空間候補のサブセット（またはすべて）は、より長いデューティサイクルを有する監視対象ＢＰＬ内に位置する。この場合、空間ＱＣＬパラメータとＰＤＣＣＨ候補との間の関係は、異なる候補では異なり得る。そのため、ＴＲＰは、異なるＴＸビーム内でＰＤＣＣＨ候補を送信し得、ＵＥは、その候補を受信し、復号することを試みるために異なるＵＥ  ＲＸビームを使用する。どのＲＸビームを使用すべきかは、ＰＤＣＣＨ候補と関連付けられた空間ＱＣＬパラメータによって得られる。
【００８３】
ＵＥは、時間スケジュールを知り、したがって、適切な時間に正しいＵＥ  ＲＸビームでリッスンする。図６は、実施形態に従う方法を例証する。ステップ６０２において、ＴＲＰは、第１および第２（例えば、アクティブおよび監視対象）ＢＰＬ（ビームトラッキングプロセス）を規定し、これをＵＥにシグナリングする。各ビームトラッキングプロセスは、空間ＱＣＬパラメータと関連付けられ得る。代替的に、各トラッキングプロセスは、以前のＣＳＩ−ＲＳ測定の指数または移動度ＲＸ（ＭＲＳ）と関連付けられるため、ＵＥは、ネットワークがＣＳＩ−ＲＳまたはＭＲＳ送信のために以前に使用されたものと同じビームをＰＤＣＣＨに使用するということが分かる。ＴＲＰはまた、第１のＢＰＬと第２のＢＰＬ（例えば、アクティブと監視対象）との間でＰＤＣＣＨ送信をどのように時間多重するかについて時間スケジュールを規定し、この情報をＵＥにシグナリングする（ステップ６０４）。ステップ６０６において、ＴＲＰは、この時間スケジュールに従って、第１および第２の（例えば、アクティブおよび監視対象）ＢＰＬを使用してＰＤＣＣＨを送信する。そして、ステップ６０８において、ＵＥは、第１および第２のＢＰＬに対応するＵＥ  ＲＸビームを使用してＰＤＣＣＨを受信する。第２のＢＰＬからのＰＤＣＣＨは検出されるが第１のＢＰＬからのＰＤＣＣＨが検出されない場合、ＴＲＰは、第２のＢＰＬが新規のアクティブＢＰＬになるように切り換えなければならない。これは、例えば、監視対象ＢＰＬを使用して送信されたＰＤＣＣＨ信号に含まれてもよい。
【００８４】
第２の実施形態において、所与のＵＥのためのＰＤＣＣＨは、第１のＢＰＬを使用して正常に（例えば、サブフレームごとに）送信され、加えて、ＰＤＣＣＨは、第２のＢＰＬを使用してＮ個のサブフレームごとに送信される（２つのリンクからのＰＤＣＣＨは、ＵＥが適切なリンクに対応するＵＥ  ＲＸビームに切り換えることが可能であるように、同じサブフレームまたはスロット内でスケジューリングされるときには異なるＯＦＤＭシンボル上で送信され得る）。
【００８５】
したがって、例えば、アクティブＢＰＬのＰＤＣＣＨが第１のＯＦＤＭシンボル上でスケジューリングされ、監視対象ＢＰＬのＰＤＣＣＨが第２のＯＦＤＭシンボル上でスケジューリングされる場合、ＵＥは、第１のＯＦＤＭシンボル内のＰＤＣＣＨ候補を復号することを試みるときには第１のＲＸビームを使用し、第２のＯＦＤＭシンボル内のＰＤＣＣＨ候補を復号することを試みるときには第２のＲＸビームを使用する。違う言い方をすると、ＵＥは、第１のＯＦＤＭシンボル内のＰＤＣＣＨ候補を復号することを試みるときには第１の空間ＱＣＬパラメータを使用し、第２のＯＦＤＭシンボル内のＰＤＣＣＨ候補を復号することを試みるときには第２の空間ＱＣＬパラメータを使用する。ＵＥは常に、アクティブＢＰＬからのＰＤＣＣＨ候補を復号しようとし、１つの代替的な実施形態においては、この復号に成功した場合、ＵＥは、監視対象ＢＰＬからのＰＤＣＣＨ候補を復号しようとしない。
【００８６】
アクティブＢＰＬがブロックされ、その結果、対応するＰＤＣＣＨをＵＥによって復号することができない場合、ＵＥは、ＰＤＣＣＨが監視対象ＢＰＬを使用して送信されるまで待機し、うまくいけばこのやり方でＰＤＣＣＨを復号することができる。１つの実施形態において、監視対象ＢＰＬからのＰＤＣＣＨは、アクティブＢＰＬを監視対象ＢＰＬに直接的に切り換えるコマンドを含む。この場合、ＵＥは、監視対象ＢＰＬと関連付けられた探索空間候補を直接的に、すなわち、監視対象ＢＰＬに対応するＵＥ  ＲＸビームを使用して、監視し始めるものとする。
【００８７】
上に説明されるように、同じサブフレーム内にあるアクティブＢＰＬおよび監視対象ＢＰＬからのＰＤＣＣＨは、同じスロットまたはサブフレーム内の異なるＯＦＤＭシンボル上でスケジューリングされなければならない。２つのＰＤＣＣＨを含むＯＦＤＭシンボルは、連続的であるか、それらの間に時間分を有するかのいずれかであり得る。２つのＰＤＣＣＨ間に時間分を有することの１つの利益は、ＵＥがこの時、監視対象ＢＰＬからのＰＤＣＣＨが受信される前にアクティブＢＰＬからのＰＤＣＣＨが正確に復号されるかどうかを評価するための時間を有することである。したがって、アクティブＢＰＬに対応するＰＤＣＣＨが正確に復号される場合、ＵＥは、監視対象ＢＰＬのＰＤＣＣＨを含むＯＦＤＭシンボルのために監視対象ＢＰＬに対応するＵＥ  ＲＸビーム（すなわち、監視対象ビームペアリンクのＲＸビーム）を変更する必要がない。このやり方では、いくつかの場合においては（ＴＲＰにおけるアンテナ実装形態、ＵＥにおけるアンテナ実装形態、シナリオなどに応じて）このＯＦＤＭシンボル内のアクティブＢＰＬのためのデータをスケジューリングすることも可能である。
【００８８】
監視対象ＢＰＬ（例えば、第２の空間ＱＣＬパラメータ）を使用して送信されたＰＤＣＣＨは、サブフレームごとに、またはアクティブＢＰＬ（第１の空間ＱＣＬパラメータ）を使用したＰＤＣＣＨと比較してより長いデューティサイクルで送信され得る。いくつかの実施形態において、監視対象ＢＰＬを使用して送信されるＰＤＣＣＨのないサブフレームでは、第１のＯＦＤＭシンボルのみがＰＤＣＣＨに使用され（しかし、他の実施形態においては、２つ以上のＯＦＤＭシンボルがＰＤＣＣＨに使用され得る）、データは、代わりにその第２のＯＦＤＭシンボルのためにスケジューリングされ得る（データシンボルの始まりは、ＤＣＩメッセージ内で示され得るため）。
【００８９】
１つの実施形態において、監視対象ＢＰＬにおけるＰＤＣＣＨ送信のためのデューティサイクルは、環境に応じて（例えば、ブロッキングがどれくらい一般的であるか）ＲＲＣシグナリングなど、ＴＲＰからＵＥへの上位層シグナリングを使用して設定可能であり、ＵＥ固有であるか、ブロードキャストされるかのいずれかであり得る。完全に無効にすることも可能でなければならない。
【００９０】
図７は、ＴＲＰ（第１のカバレッジエリアを有し得る）によって実施される、いくつかの実施形態に従う、プロセス７００を例証するフローチャートである。
【００９１】
プロセス７００は、ＴＲＰが第１のＢＰＬをＵＥのためのアクティブＢＰＬとして使用するステップ７０２で開始し得、第１のＢＰＬは、第１のＴＸビーム、および第１のＴＸビームに対応する第１のＲＸビームを含む（第１のＢＰＬは、第１のカバレッジエリア内に第２のカバレッジエリアを有し得る）。
【００９２】
ステップ７０４において、ＴＲＰは、監視対象ＢＰＬとしてＵＥのための第２のＢＰＬを使用し、第２のＢＰＬは、第２のＴＸビーム、および第２のＴＸビームに対応する第２のＲＸビームを含む（第２のＢＰＬは、第１のカバレッジエリア内にあり、かつ第１のＢＰＬの第２のカバレッジエリアとは異なる、第３のカバレッジエリアを有し得る）。
【００９３】
ステップ７０６において、第１のＢＰＬはアクティブＢＰＬとして使用されており、第２のＢＰＬは監視対象ＢＰＬとして使用されている中、ＴＲＰは、第１のＢＰＬを使用して（すなわち、第１のＴＸビームを使用して）制御情報（例えば、ＰＤＣＣＨ）をＵＥに送信する。
【００９４】
ステップ７０８において、ＴＲＰは、ＴＲＰが第２のＢＰＬを使用して（すなわち、第２のＴＸビームを使用して）制御情報（例えば、ＰＤＣＣＨ）をＵＥに送信し得るサブフレームを示すスケジューリング情報をＵＥに提供する。
【００９５】
いくつかの実施形態において、プロセス７００は、ＴＲＰが、第１のＢＰＬがビームペアリンク障害（ＢＰＬＦ）を受けたことを検出することと、第１のＢＰＬがＢＰＬＦを受けたという検出の結果として、ＴＲＰが、第２のＢＰＬを使用して、示されたサブフレーム内で制御情報をＵＥに送信することと、をさらに含む。
【００９６】
いくつかの実施形態において、第２のＢＰＬを使用して、示されたサブフレーム内でＵＥに送信された制御情報は、第２のＢＰＬが現在ＵＥのためのアクティブＢＰＬであることをＵＥに伝える。いくつかの実施形態において、ＵＥは、第２のＢＰＬを使用してＴＲＰによって送信された制御情報について、示されたサブフレームの制御エリアを探索するように設定される。
【００９７】
いくつかの実施形態において、第１のＢＰＬがアクティブＢＰＬとして使用されており、第２のＢＰＬが監視対象ＢＰＬとして使用されている中、第１のＢＰＬを使用して制御情報をＵＥに送信するステップは、Ｎ個の連続したサブフレームのうちのＭ個以下において第１のＢＰＬを使用して制御情報をＵＥに送信することを含み、Ｎは１よりも大きく、ＭはＮ以下であり（いくつかの実施形態において、Ｍ＝Ｎ）、示されたサブフレームは、Ｎ個の連続したサブフレームのうちの１つである。
【００９８】
いくつかの実施形態において、スケジューリング情報は、ＴＲＰが第２のＢＰＬを使用して制御情報をＵＥに送信し得るＬ個のサブフレーム（いくつかの実施形態において、Ｌ＝１）を示し、Ｌは１以上であり、ＬはＭ未満であり、Ｌ個のサブフレームの各々は、Ｎ個の連続したサブフレームのうちの１つである。いくつかの実施形態において、Ｍ＝Ｎ−１およびＬ＝１である。いくつかの実施形態において、Ｎ個の連続したサブフレームのうちの１つにおいて、ＴＲＰは、第２のＢＰＬを使用して制御情報をＵＥに送信するが、第１のＢＰＬを使用して制御情報をＵＥに送信しない。
【００９９】
図８は、ユーザ機器（ＵＥ）と通信する１つまたは複数の送信地点（ＴＲＰ）によって実施される、いくつかの実施形態に従う、プロセス８００を例証するフローチャートであり、ＵＥは、制御チャネルメッセージ候補（例えば、ＰＤＣＣＨ）の制御チャネル探索空間を監視している。
【０１００】
プロセス８００は、ＵＥのための制御チャネル探索空間のためのリソースを２つの部分、第１の部分および第２の部分に分割することからなるステップ８０２で開始し得、第１の部分は第１のＱＣＬパラメータと関連付けられ、第２の部分は第２のＱＣＬパラメータと関連付けられる。ステップ８０４において、ＵＥへの制御チャネル候補の送信のため、第１または第２の部分を選択することが選択される。ステップ８０６において、制御チャネル候補は、選択された部分と関連付けられたＱＣＬパラメータを使用して、選択された部分に属する制御チャネルリソース内で送信される。いくつかの実施形態において、第１のＱＣＬパラメータはアクティブＢＰＬに関連し、第２のＱＣＬパラメータは監視対象ＢＰＬに関連し、選択は、アクティブＢＰＬがＢＰＬＦを受けた（例えば、アクティブＢＰＬが低いもしくはゼロの受信品質を有する）という情報に基づく。
【０１０１】
図９は、１つまたは複数の送信地点（ＴＲＰ）と通信するＵＥによって実施される、いくつかの実施形態に従う、プロセス９００を例証するフローチャートであり、ＴＲＰは、第１のＴＸビーム、および第１のＴＸビームに対応する第１のＲＸビームを含む第１のＢＰＬを使用して情報をＵＥに送信するように設定される（第１のＢＰＬは、第１のカバレッジエリア内に第２のカバレッジエリアを有し得る）。
【０１０２】
プロセス９００は、ＵＥが、第１のＢＰＬを使用してＴＲＰによってＵＥに送信された制御情報（例えば、ＰＤＣＣＨ）を獲得するために、第１のＴＸビームに対応する第１のＲＸビームを使用するステップ９０２において開始し得る。ステップ９０４において、ＵＥは、ＴＲＰが、第２のＴＸビーム、および第２のＴＸビームに対応する第２のＲＸビームを含む第２のＢＰＬ（第２のＢＰＬは、第１のカバレッジエリア内にあるが、第１のＢＰＬの第２のカバレッジエリアとは異なる、第３のカバレッジエリアを有し得る）を使用して、制御情報（例えば、ＰＤＣＣＨ）をＵＥに送信し得るサブフレームを示すスケジューリング情報を獲得する。ステップ９０６において、ＵＥは、スケジューリング情報を受信した結果として、第２のＢＰＬを使用してＴＲＰによってＵＥに送信された制御情報のための示されたサブフレームを探索するために、第２のＴＸビームに対応する第２のＲＸビームを使用する。いくつかの実施形態において、第１のＢＰＬがビームペアリンク障害（ＢＰＬＦ）を受けたことをＴＲＰが検出した際には、ＴＲＰは、第２のＢＰＬを使用してサブフレーム内で制御情報をＵＥに送信する。いくつかの実施形態において、探索の結果として、ＵＥは、第２のＢＰＬを使用してＵＥに送信された制御情報を獲得し、獲得された制御情報は、第２のＢＰＬが現在ＵＥのためのアクティブＢＰＬであることをＵＥに伝える。いくつかの実施形態において、示されたサブフレームは、ＴＲＰが第１のＢＰＬを使用して制御情報をＵＥに送信しないサブフレームである。
【０１０３】
図１０は、１つまたは複数の送信地点（ＴＲＰ）と通信するＵＥによって実施される、いくつかの実施形態に従う、プロセス１０００を例証するフローチャートであり、ＴＲＰは、第１のＢＰＬを使用して情報をＵＥに送信するように設定される。プロセス１０００は、ＵＥが、第１のＢＰＬを使用してＴＲＰによってＵＥに送信された制御情報（例えば、ＰＤＣＣＨ）のためのサブフレームの制御エリアを探索するために、第１のＢＰＬに対応する第１のパラメータを使用するステップ１００２において開始し得る。ステップ１００４において、ＵＥが、第１のＢＰＬを使用してＵＥに送信された制御情報を見つけることができないとき、ＵＥは、第２のＢＰＬを使用してＴＲＰによってＵＥに送信された制御情報（例えば、ＰＤＣＣＨ）のためのサブフレームの制御エリアを探索するために、第２のＢＰＬに対応する第２のパラメータを使用する。
【０１０４】
図１１は、１つまたは複数の送信地点（ＴＲＰ）と通信するＵＥによって実施される、いくつかの実施形態に従う、プロセス１１００を例証するフローチャートであり、ＵＥは、制御チャネルメッセージ候補（例えば、ＰＤＣＣＨ）の制御チャネル探索空間を監視しており、制御チャネルメッセージ候補の制御チャネル探索空間は、少なくとも２つの部分、第１の部分および第２の部分に分割される。プロセス１１００は、ＵＥが第１の探索空間部分の制御チャネル候補を受信するときに第１のＱＣＬパラメータを使用するステップ１１０２において開始し得る。ステップ１１０４において、ＵＥは、第２の探索空間部分の制御チャネル候補を受信するときに第２のＱＣＬパラメータを使用する。いくつかの実施形態において、２つの部分の探索空間候補は、１つのサブフレーム内の２つの異なるＯＦＤＭシンボル内で受信される。いくつかの実施形態において、２つの部分の探索空間候補は、２つの異なるサブフレーム内で受信される。いくつかの実施形態において、プロセス１１００は、ＵＥが上位層メッセージ（例えば、無線リソース制御（ＲＲＣ）メッセージなど、層３メッセージ）を使用して設定情報を受信することをさらに含み、設定情報は、探索空間の分割を設定する。
【０１０５】
図１２は、ＵＥ５０１と通信するための第１の送信地点（ＴＲＰ）（例えば、示されるようにＴＲＰ５５０）およびＵＥと通信するための第２のＴＲＰ１５０２を備えるシステム１５００（図１５を参照されたい）によって実施される、いくつかの実施形態に従う、プロセス１２００を例証するフローチャートである。プロセス１２００は、第１のＴＲＰが第１のビームペアリンク（ＢＰＬ）（ＢＰＬ＃１と示される）をＵＥのためのアクティブＢＰＬとして使用するステップ１２０２において開始し得る。ステップ１２０４において、第２のＴＲＰは、第２のＢＰＬ（ＢＰＬ＃２と示される）をＵＥのための監視対象ＢＰＬとして使用する。ステップ１２０６において、第１のＢＰＬがアクティブＢＰＬとして使用されており、第２のＢＰＬが監視対象ＢＰＬとして使用されている中、第１のＴＲＰは、第１のＢＰＬを使用して（すなわち、第１のＢＰＬのＴＲＰ  ＴＸビームを使用して）制御情報（例えば、ＰＤＣＣＨ）をＵＥに送信する。ステップ１２０８において、スケジューリング情報がＵＥに提供され、このスケジューリング情報は、第２のＴＲＰ１５０２が第２のＢＰＬを使用して（すなわち、第２のＢＰＬのＴＲＰ  ＴＸビームを使用して）制御情報（例えば、ＰＤＣＣＨ）をＵＥに送信し得るサブフレームを示す。
【０１０６】
図１３は、いくつかの実施形態に従うＵＥ５０１のブロック図である。図１３に示されるように、ＵＥは、１つまたは複数のプロセッサ１３５５（例えば、汎用マイクロプロセッサ、ならびに／または特定用途向け集積回路（ＡＳＩＣ）、フィールドプログラマブルゲートアレイ（ＦＰＧＡ）、および同様のものなどの１つまたは複数の他のプロセッサ）を含み得るデータ処理システム（ＤＰＳ）１３０２と、無線アクセスネットワーク（ＲＡＮ）ノード（例えば、ＴＲＰ）との無線通信における使用のためのアンテナ１３２２に結合される無線送信器１３０５および無線受信器１３０６と、１つもしくは複数の不揮発性ストレージデバイスおよび／または１つもしくは複数の揮発性ストレージデバイス（例えば、ランダムアクセスメモリ（ＲＡＭ））を含み得るローカルストレージユニット（別名、「データストレージシステム」）１３１２とを備え得る。ＵＥが汎用マイクロプロセッサを含む実施形態においては、コンピュータプログラム製品（ＣＰＰ）１３４１が提供され得る。ＣＰＰ１３４１は、コンピュータ可読命令（ＣＲＩ）１３４４を含むコンピュータプログラム（ＣＰ）１３４３を格納するコンピュータ可読媒体（ＣＲＭ）１３４２を含む。ＣＲＭ１３４２は、限定されるものではないが、磁気媒体（例えば、ハードディスク）、光学媒体（例えば、ＤＶＤ）、メモリデバイス（例えば、ランダムアクセスメモリ、フラッシュメモリなど）、および同様のものなど、非一時的なコンピュータ可読媒体であってもよい。いくつかの実施形態において、コンピュータプログラム１３４３のＣＲＩ１３４４は、データ処理システム１３０２によって実行されるとき、ＣＲＩが、上に説明されるステップ（例えば、フローチャートを参照して上に説明されるステップ）をＵＥに実施させるように設定される。他の実施形態において、ＵＥは、コードの必要性なしに本明細書に説明されるステップを実施するように設定され得る。すなわち、例えば、データ処理システム１３０２は、単に１つまたは複数のＡＳＩＣからなり得る。したがって、本明細書に説明される実施形態の特徴は、ハードウェアおよび／またはソフトウェア内に実装され得る。
【０１０７】
図１４は、いくつかの実施形態に従うＴＲＰ５５０のブロック図である。図１４に示されるように、ＴＲＰは、１つまたは複数のプロセッサ１４５５（例えば、汎用マイクロプロセッサ、ならびに／または特定用途向け集積回路（ＡＳＩＣ）、フィールドプログラマブルゲートアレイ（ＦＰＧＡ）、および同様のものなどの１つまたは複数の他のプロセッサ）を含み得るデータ処理システム（ＤＰＳ）１４０２と、ＵＥとの無線通信における使用のためのアンテナ１４２２に結合される無線送信器１４０５および無線受信器１４０６と、１つもしくは複数の不揮発性ストレージデバイスおよび／または１つもしくは複数の揮発性ストレージデバイス（例えば、ランダムアクセスメモリ（ＲＡＭ））を含み得るローカルストレージユニット（別名、「データストレージシステム」）１４１２とを備え得る。ＴＲＰが汎用マイクロプロセッサを含む実施形態においては、コンピュータプログラム製品（ＣＰＰ）１４４１が提供され得る。ＣＰＰ１４４１は、コンピュータ可読命令（ＣＲＩ）１４４４を含むコンピュータプログラム（ＣＰ）１４４３を格納するコンピュータ可読媒体（ＣＲＭ）１４４２を含む。ＣＲＭ１４４２は、限定されるものではないが、磁気媒体（例えば、ハードディスク）、光学媒体（例えば、ＤＶＤ）、メモリデバイス（例えば、ランダムアクセスメモリ、フラッシュメモリなど）、および同様のものなど、非一時的なコンピュータ可読媒体であってもよい。いくつかの実施形態において、コンピュータプログラム１４４３のＣＲＩ１４４４は、データ処理システム１４０２によって実行されるとき、ＣＲＩが、上に説明されるステップ（例えば、フローチャートを参照して上に説明されるステップ）をＴＲＰに実施させるように設定される。他の実施形態において、ＴＲＰは、コードの必要性なしに本明細書に説明されるステップを実施するように設定され得る。すなわち、例えば、データ処理システム１４０２は、単に１つまたは複数のＡＳＩＣからなり得る。したがって、本明細書に説明される実施形態の特徴は、ハードウェアおよび／またはソフトウェア内に実装され得る。
【０１０８】
追加の実施形態
ＴＲＰ実施形態
１．ユーザ機器（ＵＥ）と通信するための送信地点（ＴＲＰ）によって実施される方法であって、第１のビームペアリンク（ＢＰＬ）をＵＥのためのアクティブＢＰＬとして使用することであって、第１のＢＰＬが、第１のＴＸビーム、および第１のＴＸビームに対応する第１のＲＸビームを含む、ことと、第２のＢＰＬをＵＥのための監視対象ＢＰＬとして使用することであって、第２のＢＰＬが、第２のＴＸビーム、および第２のＴＸビームに対応する第２のＲＸビームを含む、ことと、第１のＢＰＬがアクティブＢＰＬとして使用されており、第２のＢＰＬが監視対象ＢＰＬとして使用されている中、第１のＢＰＬを使用して制御情報（例えば、ＰＤＣＣＨ）をＵＥに送信することと、ＴＲＰが第２のＢＰＬを使用して制御情報（例えば、ＰＤＣＣＨ）をＵＥに送信し得るサブフレームを示すスケジューリング情報をＵＥに提供することと、を含む、方法。
【０１０９】
２．ＴＲＰが、第１のＢＰＬがビームペアリンク障害（ＢＰＬＦ）を受けたことを検出することと、第１のＢＰＬがＢＰＬＦを受けたという検出の結果として、ＴＲＰが、第２のＢＰＬを使用して、示されたサブフレーム内で制御情報をＵＥに送信することと、をさらに含む、実施形態１に記載の方法。
【０１１０】
３．第２のＢＰＬを使用して、示されたサブフレーム内でＵＥに送信された制御情報が、第２のＢＰＬが現在ＵＥのためのアクティブＢＰＬであることをＵＥに伝える、実施形態２に記載の方法。
【０１１１】
４．ＵＥが、第２のＢＰＬを使用してＴＲＰによって送信された制御情報について、示されたサブフレームの制御エリアを探索するように設定される、実施形態３に記載の方法。
【０１１２】
５．第１のＢＰＬがアクティブＢＰＬとして使用されており、第２のＢＰＬが監視対象ＢＰＬとして使用されている中、第１のＢＰＬを使用して制御情報をＵＥに送信するステップが、Ｎ個の連続したサブフレームのうちのＭ個以下において第１のＢＰＬを使用して制御情報をＵＥに送信することを含み、Ｎは１よりも大きく、ＭはＮ以下であり、示されたサブフレームは、Ｎ個の連続したサブフレームのうちの１つである、実施形態１から４のいずれか１つに記載の方法。
【０１１３】
６．スケジューリング情報が、ＴＲＰが第２のＢＰＬを使用して制御情報をＵＥに送信し得るＬ個のサブフレームを示し、Ｌは１以上であり、ＬはＭ未満であり、Ｌ個のサブフレームの各々は、Ｎ個の連続したサブフレームのうちの１つである、実施形態５に記載の方法。
【０１１４】
７．Ｍ＝Ｎ−１およびＬ＝１である、実施形態６に記載の方法。
【０１１５】
８．Ｎ個の連続したサブフレームのうちの１つにおいて、ＴＲＰが、第２のＢＰＬを使用して制御情報をＵＥに送信するが、第１のＢＰＬを使用して制御情報をＵＥに送信しない、実施形態７に記載の方法。
【０１１６】
９．Ｍ＝ＮおよびＬ＝１である、実施形態６に記載の方法。
【０１１７】
１０．ユーザ機器（ＵＥ）と通信する１つまたは複数の送信地点（ＴＲＰ）によって実施される方法であって、ＵＥが制御チャネルメッセージ候補（ＰＤＣＣＨ）の制御チャネル探索空間を監視しており、ＵＥのための制御チャネル探索空間のためのリソースを２つの部分、第１の部分および第２の部分に分割することであって、第１の部分が第１のＱＣＬパラメータと関連付けられ、第２の部分が第２のＱＣＬパラメータと関連付けられる、分割することと、ＵＥへの制御チャネル候補の送信のため、第１または第２の部分を選択することと、選択された部分と関連付けられたＱＣＬパラメータを使用して、選択された部分に属する制御チャネルリソース内で制御チャネル候補を送信することと、を含む、方法。
【０１１８】
１１．第１のＱＣＬパラメータがアクティブＢＰＬに関連し、第２のＱＣＬパラメータが監視対象ＢＰＬに関連する、実施形態１０に記載の方法。
【０１１９】
１２．選択が、アクティブＢＰＬがＢＰＬＦを受けた（例えば、アクティブＢＰＬが低いまたはゼロの受信品質を有する）という情報に基づく、実施形態１１に記載の方法。
【０１２０】
１３．送信器と、受信器と、メモリと、１つまたは複数のプロセッサを備えるデータ処理システムとを備えるＴＲＰであって、実施形態１から１２のいずれか１つの方法を実施するように設定される、ＴＲＰ。
【０１２１】
ＵＥ側の実施形態
１４．１つまたは複数の送信地点（ＴＲＰ）と通信するユーザ機器（ＵＥ）によって実施される方法であって、ＴＲＰが、第１の送信（ＴＸ）ビーム、および第１のＴＸビームに対応する第１の受信（ＲＸ）ビームを含む第１のビームペアリンク（ＢＰＬ）を使用して情報をＵＥに送信するように設定され、ＵＥが、第１のＢＰＬを使用してＵＥに送信された制御情報（例えば、ＰＤＣＣＨ）を獲得するために第１のＴＸビームに対応する第１のＲＸビームを使用することと、ＵＥが、ＴＲＰのうちの１つが第２のＴＸビーム、および第２のＴＸビームに対応する第２のＲＸビームを含む第２のＢＰＬを使用して制御情報（例えば、ＰＤＣＣＨ）をＵＥに送信し得るサブフレームを示すスケジューリング情報を獲得することと、スケジューリング情報を受信した結果として、ＵＥが、第２のＢＰＬを使用してＵＥに送信された制御情報のための示されたサブフレームを探索するために、第２のＴＸビームに対応する第２のＲＸビームを使用することと、を含む、方法。
【０１２２】
１５．第１のＢＰＬがビームペアリンク障害（ＢＰＬＦ）を受けたことをＴＲＰが検出した際には、ＴＲＰが、第２のＢＰＬを使用してサブフレーム内で制御情報をＵＥに送信する、実施形態１４に記載の方法。
【０１２３】
１６．探索の結果として、ＵＥが、第２のＢＰＬを使用してＵＥに送信された制御情報を獲得し、獲得された制御情報が、第２のＢＰＬが現在ＵＥのためのアクティブＢＰＬであることをＵＥに伝える、実施形態１４または１２に記載の方法。
【０１２４】
１７．示されたサブフレームが、ＴＲＰが第１のＢＰＬを使用して制御情報をＵＥに送信しないサブフレームである、実施形態１４から１３のいずれか１つに記載の方法。
【０１２５】
１８．１つまたは複数の送信地点（ＴＲＰ）と通信するユーザ機器（ＵＥ）によって実施される方法であって、ＴＲＰが、第１の送信（ＴＸ）ビーム、および第１のＴＸビームに対応する第１の受信（ＲＸ）ビームを含む第１のビームペアリンク（ＢＰＬ）を使用して情報をＵＥに送信するように設定され、ＵＥが、第１のＢＰＬを使用してＴＲＰによってＵＥに送信された制御情報（例えば、ＰＤＣＣＨ）のためのサブフレームの制御エリアを探索するために、第１のＢＰＬに対応する第１のパラメータを使用することと、ＵＥが第１のＢＰＬを使用してＴＲＰによってＵＥに送信された制御情報を見つけることができないときに、ＵＥが、第２のＢＰＬを使用してＴＲＰによってＵＥに送信された制御情報（例えば、ＰＤＣＣＨ）のためのサブフレームの制御エリアを探索するために、第２のＢＰＬに対応する第２のパラメータを使用することであって、第２のＢＰＬが、第２のＴＸビーム、および第２のＴＸビームに対応する第２のＲＸビームを含む、ことと、を含む、方法。
【０１２６】
１９．１つまたは複数の送信地点（ＴＲＰ）と通信するユーザ機器（ＵＥ）によって実施される方法であって、ＵＥが、制御チャネルメッセージ候補（ＰＤＣＣＨ）の制御チャネル探索空間を監視しており、制御チャネルメッセージ候補の制御チャネル探索空間が、少なくとも２つの部分、第１の部分および第２の部分に分割され、ＵＥが、第１の探索空間部分の制御チャネル候補を受信するときに第１のＱＣＬパラメータを使用することと、ＵＥが、第２の探索空間部分の制御チャネル候補を受信するときに第２のＱＣＬパラメータを使用することと、を含む、方法。
【０１２７】
２０．２つの部分の探索空間候補が、１つのサブフレーム内の２つの異なるＯＦＤＭシンボル内で受信される、実施形態１９に記載の方法。
【０１２８】
２１．２つの部分の探索空間候補が、２つの異なるサブフレーム内で受信される、実施形態１９に記載の方法。
【０１２９】
２２．ＵＥが、上位層メッセージ（例えば、無線リソース制御（ＲＲＣ）メッセージなど、層３メッセージ）を使用して設定情報を受信することをさらに含み、設定情報が、探索空間の分割を設定する、実施形態１９から２１のいずれか１つに記載の方法。
【０１３０】
システム実施形態
２３．ユーザ機器（ＵＥ）と通信するための第１の送信地点（ＴＲＰ）およびＵＥと通信するための第２のＴＲＰを備えるシステムによって実施される方法であって、第１のＴＲＰが、第１のビームペアリンク（ＢＰＬ）をＵＥのためのアクティブＢＰＬとして使用することと、第２のＴＲＰが、第２のＢＰＬをＵＥのための監視対象ＢＰＬとして使用することと、第１のＢＰＬがアクティブＢＰＬとして使用されており、第２のＢＰＬが監視対象ＢＰＬとして使用されている中、第１のＴＲＰが、第１のＢＰＬを使用して制御情報（例えば、ＰＤＣＣＨ）をＵＥに送信することと、第２のＴＲＰが第２のＢＰＬを使用して制御情報（例えば、ＰＤＣＣＨ）をＵＥに送信し得るサブフレームを示すスケジューリング情報をＵＥに提供することと、を含む、方法。
【０１３１】
２４．第１のＢＰＬがビームペアリンク障害（ＢＰＬＦ）を受けたことを検出することと、第１のＢＰＬがＢＰＬＦを受けたという検出の結果として、第２のＴＲＰが、第２のＢＰＬを使用して、示されたサブフレーム内で制御情報をＵＥに送信することと、をさらに含む、実施形態２３に記載の方法。
【０１３２】
２５．第２のＢＰＬを使用して、示されたサブフレーム内でＵＥに送信された制御情報が、第２のＢＰＬが現在ＵＥのためのアクティブＢＰＬであることをＵＥに伝える、実施形態２４に記載の方法。
【０１３３】
２６．ＵＥが、第２のＢＰＬを使用して第２のＴＲＰによって送信された制御情報について、示されたサブフレームの制御エリアを探索するように設定される、実施形態２５に記載の方法。
【０１３４】
２７．第１のＢＰＬがアクティブＢＰＬとして使用されており、第２のＢＰＬが監視対象ＢＰＬとして使用されている中、第１のＢＰＬを使用して制御情報をＵＥに送信するステップが、Ｎ個の連続したサブフレームのうちのＭ個以下において第１のＢＰＬを使用して制御情報をＵＥに送信することを含み、Ｎは１よりも大きく、ＭはＮ以下であり、示されたサブフレームは、Ｎ個の連続したサブフレームのうちの１つである、実施形態２３から２６のいずれか１つに記載の方法。
【０１３５】
２８．スケジューリング情報が、第２のＴＲＰが第２のＢＰＬを使用して制御情報をＵＥに送信し得るＬ個のサブフレームを示し、Ｌは１以上であり、ＬはＭ未満であり、Ｌ個のサブフレームの各々は、Ｎ個の連続したサブフレームのうちの１つである、実施形態２７に記載の方法。
【０１３６】
２９．Ｍ＝Ｎ−１およびＬ＝１である、実施形態２８に記載の方法。
【０１３７】
３０．Ｎ個の連続したサブフレームのうちの１つにおいて、第２のＴＲＰが、第２のＢＰＬを使用して制御情報をＵＥに送信するが、第１のＴＲＰが、第１のＢＰＬを使用して制御情報をＵＥに送信しない、実施形態２９に記載の方法。
【０１３８】
３１．Ｍ＝ＮおよびＬ＝１である、実施形態２８に記載の方法。
【０１３９】
３２．送信器と、受信器と、メモリと、１４つまたは複数のプロセッサを備えるデータ処理システムとを備えるＵＥであって、ＴＲＰが、実施形態１４から２２のいずれか１つの方法を実施するように設定される、ＵＥ。
【０１４０】
本開示の様々な実施形態が本明細書（付属書を含む）に説明されるが、それらは例として提示されているにすぎず、制限ではないことが理解されるべきである。したがって、本開示の幅および範囲は、上に説明される例示的な実施形態によって制限されるべきではない。さらに、上に説明される要素の、それらのすべての潜在的な変形形態における、任意の組み合わせは、本明細書に別途示されるか、文脈により別途明白に否定されない限り、本開示により包含される。
【０１４１】
加えて、上に説明される、および図面に例証されるプロセスは、一連のステップとして示されるが、これは例証の目的のためだけに行われたものである。したがって、いくつかのステップが追加され得ること、いくつかのステップが省略され得ること、ステップの順序が並べ替えられ得ること、およびいくつかのステップが並行して実施され得ることが企図される。
【図１】
2019534641.tif 000003
【図２】
2019534641.tif 000004
【図３】
2019534641.tif 000005
【図４】
2019534641.tif 000006
【図５Ａ】
2019534641.tif 000007
【図５Ｂ】
2019534641.tif 000008
【図５Ｃ】
2019534641.tif 000009
【図６】
2019534641.tif 000010
【図７】
2019534641.tif 000011
【図８】
2019534641.tif 000012
【図９】
2019534641.tif 000013
【図１０】
2019534641.tif 000014
【図１１】
2019534641.tif 000015
【図１２】
2019534641.tif 000016
【図１３】
2019534641.tif 000017
【図１４】
2019534641.tif 000018
【図１５】
2019534641.tif 000019
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
１つまたは複数の送信地点（ＴＲＰ）（５５０）と通信するユーザ機器（ＵＥ）（５０１）によって実施される方法であって、
前記ＵＥが、第１の探索空間において送信された制御チャネル候補を受信するための１つまたは複数のＱＣＬパラメータの第１のセットを使用することと、
前記ＵＥが、第２の探索空間において送信された制御チャネル候補を受信するための１つまたは複数のＱＣＬパラメータの第２のセットを使用することと
を含む、方法。
【請求項２】
前記第１の探索空間が、制御エリアの第１の部分であり、
前記第２の探索空間が、前記制御エリアの第２の部分である、請求項１に記載の方法。
【請求項３】
前記制御エリアの前記第１の部分および前記制御エリアの前記第２の部分が、少なくとも部分的に時間が重複するか、または
前記制御エリアの前記第１の部分が、前記制御エリアの前記第２の部分と時間が重複しない、請求項２に記載の方法。
【請求項４】
前記第１の探索空間が第１の制御エリアであり、
前記第２の探索空間が、第２の制御エリアである、請求項１に記載の方法。
【請求項５】
前記第１の制御エリアおよび前記第２の制御エリアが、少なくとも部分的に時間が重複するか、または
前記第１の制御エリアが、前記第２の制御エリアと時間が重複しない、請求項４に記載の方法。
【請求項６】
ＱＣＬパラメータの前記第１および第２のセットの各々における前記ＱＣＬパラメータのうちの少なくとも１つが、空間ＱＣＬパラメータである、請求項１に記載の方法。
【請求項７】
１つまたは複数の送信地点（ＴＲＰ）（５５０）と通信するユーザ機器（ＵＥ）（５０１）によって実施される方法であって、前記ＴＲＰが、第１のＴＸビーム、および前記第１のＴＸビームに対応する第１のＲＸビームを含む第１のビームペアリンク（ＢＰＬ）を使用して情報を前記ＵＥに送信するように設定され、
前記ＵＥが、前記第１のＢＰＬを使用してＴＲＰによって前記ＵＥに送信された制御情報について第１の探索空間を探索するために、前記第１のＢＰＬに対応する第１のパラメータを使用することと、
前記ＵＥが、前記第２のＢＰＬを使用してＴＲＰによって前記ＵＥに送信された制御情報について第２の探索空間を探索するために、第２のＢＰＬに対応する第２のパラメータを使用することであって、前記第２のＢＰＬが、第２のＴＸビーム、および前記第２のＴＸビームに対応する第２のＲＸビーム（５０８）を含む、ことと
を含む、方法。
【請求項８】
前記第１の探索空間が制御エリアの第１の部分であり、前記第２の探索空間が前記制御エリアの第２の部分であるか、または
前記第１の探索空間が第１の制御エリアであり、前記第２の探索空間が第２の制御エリアである、請求項７に記載の方法。
【請求項９】
前記制御エリアの前記第１の部分および前記制御エリアの前記第２の部分が、少なくとも部分的に時間が重複するか、または
前記第１の制御エリアおよび前記第２の制御エリアが、少なくとも部分的に時間が重複する、請求項８に記載の方法。
【請求項１０】
前記ＵＥが前記第１のＢＰＬを使用して送信された前記制御情報を見つけることができないとき、前記ＵＥが、制御情報について前記第２の探索空間を探索するために前記第２のＢＰＬに対応する前記第２のパラメータを使用する、請求項７に記載の方法。
【請求項１１】
送信器（１３０５）と、受信器（１３０６）と、メモリ（１３０８）と、１つまたは複数のプロセッサ（１３５５）を備えるデータ処理システム（１３０２）とを備え、請求項１から１０のいずれか一項に記載の方法を実施するように設定される、ユーザ機器（ＵＥ）（５０１）。
【請求項１２】
請求項１から１０のいずれか一項に記載の方法を実施するように設定される、ユーザ機器（ＵＥ）（５０１）。
【請求項１３】
ユーザ機器（ＵＥ）（５０１）と通信する１つまたは複数の送信地点（ＴＲＰ）（５５０）によって実施される方法であって、
第１の探索空間および第２の探索空間を規定することであって、第１のＴＸビームが、前記第１の探索空間と関連付けられ、第２のＴＸビームが、前記第２の探索空間と関連付けられる、規定することと、
前記ＵＥへの制御チャネル候補の送信のため、前記第１または第２の探索空間を選択することと、
前記選択された探索空間と関連付けられた前記ＴＸビームを使用して、前記選択された探索空間に属する制御チャネルリソース内で前記制御チャネル候補を送信することと
を含む、方法。
【請求項１４】
前記第１のＴＸビームが第１のＢＰＬに関連し、前記第２のＴＸビームが第２のＢＰＬに関連する、請求項１３に記載の方法。
【請求項１５】
前記選択が、前記第１のＢＰＬがビームペアリンク障害（ＢＰＬＦ）を受けたという情報に基づく、請求項１４に記載の方法。
【請求項１６】
前記第１の探索空間が、制御エリアの第１の部分であり、
前記第２の探索空間が、前記制御エリアの第２の部分である、請求項１４または１５に記載の方法。
【請求項１７】
前記制御エリアの前記第１の部分および前記制御エリアの前記第２の部分が、少なくとも部分的に時間が重複するか、または
前記制御エリアの前記第１の部分が、前記制御エリアの前記第２の部分と時間が重複しない、請求項１６に記載の方法。
【請求項１８】
前記第１の探索空間が、第１の制御エリアであり、
前記第２の探索空間が、第２の制御エリアである、請求項１４または１５に記載の方法。
【請求項１９】
前記第１の制御エリアおよび前記第２の制御エリアが、少なくとも部分的に時間が重複するか、または
前記第１の制御エリアが、前記第２の制御エリアと時間が重複しない、請求項１８に記載の方法。
【請求項２０】
送信器（１４０５）と、受信器（１４０６）と、メモリ（１４０８）と、１つまたは複数のプロセッサ（１４５５）を備えるデータ処理システム（１４０２）とを備え、請求項１３から１９のいずれか一項に記載の方法を実施するように設定される、送信地点（ＴＲＰ）（５５０）。
【請求項２１】
請求項１３から１９のいずれか一項に記載の方法を実施するように設定される、送信地点（ＴＲＰ）（５５０）。
【国際調査報告】
2019534641.tif 000020
2019534641.tif 000021
2019534641.tif 000022
2019534641.tif 000023
2019534641.tif 000024